(57)【要約】【課題】調整可能な重量体組立体を改善したゴルフクラブヘッドを提供すること。【解決手段】ゴルフクラブヘッドは、凹状チャネルが形成された外面を有する本体を有する。重量体組立体は、凹状チャネル内に少なくとも部分的に配設された重量体と、凹状チャネルを覆うように延在するカバーと、カバーを本体に連結する固定具と、を有する。固定具は、カバーによって間接的にのみ重量体を凹状チャネル内に保持するように構成されている。重量体組立体は、ロック解除構成とロック構成との間で位置付け可能である。重量体組立体がロック解除構成にあると、カバーは、凹状チャネルから外へ上昇し、重量体は、凹状チャネル内で選択的にスライド可能である。重量体組立体がロック構成にあると、カバーは、凹状チャネル内に配設され、重量体は、凹状チャネル内に固定される。重量体組立体は、ロック解除構成及びロック構成双方で本体に連結されている。【選択図】図１
2020175196.tif 000002
【特許請求の範囲】
【請求項１】
・本体であって、
−下側縁部及び反対側にある上側縁部を備える打面と、
−前記下側縁部から延在するソールと、
−前記上側縁部から延在するクラウンと、
を備え、
前記打面、前記ソール及び前記クラウンのうちの１以上が、当該本体の外面を画成する、本体と；
・前記外面内に形成された凹状チャネルと；
・重量体組立体であって、
−前記凹状チャネル内に少なくとも部分的に配設された１以上の重量体と、
−前記凹状チャネルを少なくとも部分的に覆うように延在するカバーと、
−前記カバーを前記本体に連結する固定具であって、１以上の前記重量体を前記カバーによって間接的にのみ前記凹状チャネル内に保持するように構成された、固定具と、
を備える、重量体組立体と、
を備えるゴルフクラブヘッドであって、
前記重量体組立体が、少なくともロック解除構成とロック構成との間で位置付け可能であり、
前記重量体組立体が前記ロック解除構成にあると、前記カバーの少なくとも一部が、前記凹状チャネルから外へ上昇し、１以上の前記重量体が、前記凹状チャネル内で選択的にスライド可能であり、
前記重量体組立体が前記ロック構成にあると、前記カバーが、前記凹状チャネル内に配設され、１以上の前記重量体が、前記凹状チャネル内に固定され、
前記重量体組立体が、前記ロック解除構成及び前記ロック構成双方で前記本体に連結されていることを特徴とするゴルフクラブヘッド。
【請求項２】
前記凹状チャネルが、１以上の前記重量体がスライド可能である軌道部を画成し、前記固定具が、前記軌道部から位置ズレしていることを特徴とする請求項１に記載のゴルフクラブヘッド。
【請求項３】
前記凹状チャネルが、１以上のチャンバを備え、
前記カバーが、１以上の対応する突出部を備え、
前記重量体組立体が前記ロック構成にあると、１以上の前記突出部が、１以上の前記チャンバ内に係合していることを特徴とする請求項１に記載のゴルフクラブヘッド。
【請求項４】
１以上の前記突出部が、ほぼ筒状であり、１以上の筒状の前記突出部が、前記固定具に対してほぼ平行であることを特徴とする請求項３に記載のゴルフクラブヘッド。
【請求項５】
前記凹状チャネルが、前記凹状チャネル内へ突出する１以上のカムを備え、
前記カバーが、１以上の対応する切欠部を備え、
前記重量体組立体が前記ロック解除構成にあると、前記カバーの少なくとも一部が、１以上の前記カムで支持されており、
前記重量体組立体がロック構成にあると、１以上の前記カムが、１以上の前記切欠部内に少なくとも部分的に受けられていることを特徴とする請求項１に記載のゴルフクラブヘッド。
【請求項６】
前記凹状チャネルが、当該凹状チャネル内へ突出する１以上の座部を備え、
前記カバーが、１以上の対応する刻目部を備え、
前記重量体組立体が前記ロック構成にあると、１以上の前記座部が、１以上の前記刻目部と係合することを特徴とする請求項１に記載のゴルフクラブヘッド。
【請求項７】
１以上の前記座部が、少なくとも１つの傾斜面を備え、
少なくとも１つの前記傾斜面が、前記固定具に対してほぼ平行であることを特徴とする請求項６に記載のゴルフクラブヘッド。
【請求項８】
・本体であって、
−下側縁部及び反対側にある上側縁部を備える打面と、
−前記下側縁部から延在するソールと、
−前記上側縁部から延在するクラウンと、
を備え、
前記打面、前記ソール及び前記クラウンのうちの１以上が、当該本体の外面を画成する、本体と；
・前記外面内に形成された凹状チャネルと；
・重量体組立体であって、
−前記凹状チャネル内に少なくとも部分的に配設された重量体と、
−前記凹状チャネルを少なくとも部分的に覆うように延在するカバーと、
−前記カバーを前記本体に連結する固定具であって、前記カバーによって間接的にのみ前記重量体を前記凹状チャネル内に保持するように構成された、固定具と、
を備える重量体組立体と、
を備えるゴルフクラブヘッドであって、
前記重量体組立体が、少なくとも３つの構成、すなわち、
前記カバーが前記凹状チャネル内に少なくとも部分的に配設され、それにより、前記重量体が前記凹状チャネル内に固定される、第１構成と、
前記重量体が前記凹状チャネル内で選択的にスライド可能である、第２構成と、
前記カバーが前記凹状チャネルから少なくとも部分的に抜け出し、それにより、前記重量体が、当該ゴルフクラブヘッドから完全に取外し可能である、第３構成と、
の間で選択的に位置付け可能であり、
前記カバーが、前記３つの構成全てにおいて前記本体に連結されていることを特徴とするゴルフクラブヘッド。
【請求項９】
前記凹状チャネルが、１以上のチャンバを備え、
前記カバーが、１以上の対応する突出部を備え、
１以上の前記突出部が、前記３つの構成全てにおいて、１以上の前記チャンバと係合することを特徴とする請求項８に記載のゴルフクラブヘッド。
【請求項１０】
１以上の前記突出部それぞれが、複数の可撓性腕部を備えることを特徴とする請求項９に記載のゴルフクラブヘッド。
【請求項１１】
１以上の前記突出部それぞれが、遠位端部に近接してかつ少なくとも１つのリブに配設された少なくとも１つの停止部を備えることを特徴とする請求項９に記載のゴルフクラブヘッド。
【請求項１２】
前記第２構成が、１以上の前記チャンバのうち対応する前記チャンバと係合する少なくとも１つの前記リブによって少なくとも部分的に画成されていることを特徴とする請求項１１に記載のゴルフクラブヘッド。
【請求項１３】
前記第３構成が、１以上の前記チャンバのうち対応する前記チャンバと係合する少なくとも１つの前記停止部によって少なくとも部分的に画成されていることを特徴とする請求項１１に記載のゴルフクラブヘッド。
【請求項１４】
・本体であって、
−下側縁部及び反対側にある上側縁部を備える打面と、
−前記下側縁部から延在するソールと、
−前記上側縁部から延在するクラウンと、
を備え、
前記打面、前記ソール及び前記クラウンのうちの１以上が、当該本体の外面を画成する、本体と；
・前記外面内に形成された凹状チャネルと；
・重量体組立体であって、
−前記凹状チャネル内に少なくとも部分的に配設された重量体と、
−前記凹状チャネルを少なくとも部分的に覆うように延在するカバーと、
−前記カバーを前記本体に連結する固定具であって、前記カバーによって間接的にのみ前記重量体を前記凹状チャネル内に保持するように構成された、固定具と、
を備える重量体組立体と、
を備えるゴルフクラブヘッドであって、
前記重量体が、前記カバーにスライド可能に係合しており、
前記カバーが、少なくとも、前記カバーが前記凹状チャネルから少なくとも部分的に抜け出し、
前記重量体が前記凹状チャネル内で選択的にスライド可能である、ロック解除構成と、前記カバーが前記凹状チャネル内に少なくとも部分的に配設され、前記重量体が前記凹状チャネル内に固定された、ロック構成と、に位置付け可能であり、
前記重量体が、前記ロック解除構成と前記ロック構成との間で前記カバーと共に移動することを特徴とするゴルフクラブヘッド。
【請求項１５】
棚部が、前記カバー内に画成されており、前記重量体の少なくとも一部を受けるように構成されていることを特徴とする請求項１４に記載のゴルフクラブヘッド。
【請求項１６】
前記カバーが、外側面を備え、
前記棚部が、前記外側面に近接して配設された外壁部と反対側にある内壁部とによって少なくとも画成されており、
前記外壁部の幅が、前記内壁部の幅よりも大きいことを特徴とする請求項１５に記載のゴルフクラブヘッド。
【請求項１７】
前記カバーが前記ロック構成にあると、前記重量体が、前記凹状チャネル内に完全に配設されることを特徴とする請求項１４に記載のゴルフクラブヘッド。
【請求項１８】
前記カバーが、外側面を備え、
前記カバーが前記ロック構成にあると、前記カバーの前記外側面が、前記本体の前記外面と位置合わせすることを特徴とする請求項１４に記載のゴルフクラブヘッド。
【請求項１９】
前記カバーが、外側面を備え、
前記重量体の少なくも一部が、前記ロック構成において、前記カバーの前記外側面と前記本体の前記外面との間で視認可能であることを特徴とする請求項１４に記載のゴルフクラブヘッド。
【請求項２０】
前記カバーが、摩擦材料体を有する内面を備えることを特徴とする請求項１４に記載のゴルフクラブヘッド。
【発明の詳細な説明】
【技術分野】
【０００１】
関連出願の相互参照
本願は、２０１９年４月１８日出願の米国特許出願第１６／３８７，８５９号の部分係属出願である２０１９年８月８日出願の米国特許出願第１６／５３５，８４４号の部分係属出願である２０１９年１２月９日出願の米国特許出願第１６／７０８，２５５号の部分係属出願である２０２０年４月８日出願の米国特許出願第１６／８４３，６４０号の優先権の利益を主張し、これら出願のすべてを参考として本明細書に組み込む。適切な範囲まで、本発明は、上記参照出願全ての利益及び優先権を主張する。
【背景技術】
【０００２】
ゴルフクラブで打った後のゴルフボールの飛行特性は、ゴルフクラブのスイングにだけではなくゴルフクラブ自体にも依存する。例えば、フェイド、ドロー、打出角度、ボールスピン及び速度のようなゴルフボールの飛行特性は、ゴルフクラブの設計の影響を受ける。
ゴルフクラブの１以上の設計特質を調整することによって、ゴルフボールの飛行特性を改善し得、それにより、ゴルフクラブの性能を増加させる。いくつかの例において、ゴルフクラブのヘッドの重心（ＣＧ）及び／または慣性モーメント（ＭＯＩ）を選択的な重量体の変位を通して調整することは、ゴルフボールの飛行特性に影響を与える。
【発明の概要】
【発明が解決しようとする課題】
【０００３】
しかしながら、これら調整可能な重量体は、ゴルフクラブヘッドにしっかりと取り付けられかつ選択的に移動可能である必要がある。このように、ゴルフクラブヘッドのための調整可能な重量体組立体への改善が望まれている。
【課題を解決するための手段】
【０００４】
一態様において、技術は、ゴルフクラブヘッドに関し、このゴルフクラブヘッドは：本体であって、下側縁部及び反対側にある上側縁部を有する打面と、下側縁部から延在するソールと、上側縁部から延在するクラウンと、を有し、打面、ソール及びクラウンのうちの１以上が、本体の外面を画成する、本体と；外面内に形成された凹状チャネルと；重量体組立体であって、凹状チャネル内に少なくとも部分的に配設された１以上の重量体と、凹状チャネルを少なくとも部分的に覆うように延在するカバーと、カバーを本体に連結する固定具であって、１以上の重量体をカバーによって間接的にのみ凹状チャネル内に保持するように構成された、固定具と、を有する、重量体組立体と、を有し、重量体組立体は、少なくともロック解除構成とロック構成との間で位置付け可能であり、重量体組立体がロック解除構成にあると、カバーの少なくとも一部は、凹状チャネルから外へ上昇し、１以上の重量体が、凹状チャネル内で選択的にスライド可能であり、重量体組立体がロック構成にあると、カバーは、凹状チャネル内に配設され、１以上の重量体が、凹状チャネル内に固定され、重量体組立体は、ロック解除構成及びロック構成双方で本体に連結されている。
【０００５】
一例において、凹状チャネルは、１以上の重量体がスライド可能である軌道部を画成し、固定具は、軌道部から位置ズレしている。別の例において、凹状チャネルは、１以上のチャンバを有し、カバーは、１以上の対応する突出部を有し、重量体組立体がロック構成にあると、１以上の突出部は、１以上のチャンバ内に係合している。さらに別の例において、１以上の突出部は、ほぼ筒状であり、１以上の筒状の突出部は、固定具に対してほぼ平行である。依然として別の例において、凹状チャネルは、凹状チャネル内へ突出する１以上のカムを有し、カバーは、１以上の対応する切欠部を有し、重量体組立体がロック解除構成にあると、カバーの少なくとも一部は、１以上のカムで支持されており、重量体組立体がロック構成にあると、１以上のカムは、１以上の切欠部内に少なくとも部分的に受けられている。一例において、凹状チャネルは、凹状チャネル内へ突出する１以上の座部を有し、カバーは、１以上の対応する刻目部を有し、重量体組立体がロック構成にあると、１以上の座部は、１以上の刻目部と係合する。別の例において、１以上の座部は、少なくとも１つの傾斜面を有し、少なくとも１つの傾斜面は、固定具に対してほぼ平行である。
【０００６】
別の態様において、本技術は、ゴルフクラブヘッドに関し、このゴルフクラブヘッドは：本体であって、下側縁部及び反対側にある上側縁部を有する打面と、下側縁部から延在するソールと、上側縁部から延在するクラウンと、を有し、打面、ソール及びクラウンのうちの１以上が、本体の外面を画成する、本体と；外面内に形成された凹状チャネルと；重量体組立体であって、凹状チャネル内に少なくとも部分的に配設された重量体と、凹状チャネルを少なくとも部分的に覆うように延在するカバーと、カバーを本体に連結する固定具であって、カバーによって間接的にのみ重量体を凹状チャネル内に保持するように構成された、固定具と、を有する重量体組立体と、を有し、重量体組立体は、少なくとも３つの構成、すなわち、カバーが凹状チャネル内に少なくとも部分的に配設され、それにより、重量体が凹状チャネル内に固定される、第１構成と、重量体が凹状チャネル内で選択的にスライド可能である、第２構成と、カバーが凹状チャネルから少なくとも部分的に抜け出し、それにより、重量体が、ゴルフクラブヘッドから完全に取外し可能である、第３構成と、の間で選択的に位置付け可能であり、カバーは、３つの構成全てにおいて本体に連結されている。
【０００７】
一例において、凹状チャネルは、１以上のチャンバを有し、カバーは、１以上の対応する突出部を有し、１以上の突出部は、３つの構成全てにおいて、１以上のチャンバと係合する。別の例において、１以上の突出部それぞれは、複数の可撓性腕部を有する。さらに別の例において、１以上の突出部それぞれは、遠位端部に近接してかつ少なくとも１つのリブに配設された少なくとも１つの停止部を有する。依然としてさらに別の例において、第２構成は、１以上のチャンバのうち対応するチャンバと係合する少なくとも１つのリブによって少なくとも部分的に画成されている。一例において、第３構成が、１以上のチャンバのうち対応するチャンバと係合する少なくとも１つの停止部によって少なくとも部分的に画成されている。
【０００８】
別の態様において、本技術は、ゴルフクラブヘッドに関し、このゴルフクラブヘッドは：本体であって、下側縁部及び反対側にある上側縁部を有する打面と、下側縁部から延在するソールと、上側縁部から延在するクラウンと、を有し、打面、ソール及びクラウンのうちの１以上が、本体の外面を画成する、本体と；外面内に形成された凹状チャネルと；重量体組立体であって、凹状チャネル内に少なくとも部分的に配設された重量体と、凹状チャネルを少なくとも部分的に覆うように延在するカバーと、カバーを本体に連結する固定具であって、カバーによって間接的にのみ重量体を凹状チャネル内に保持するように構成された、固定具と、を有する重量体組立体と、を有し、重量体は、カバーにスライド可能に係合しており、カバーは、少なくとも、カバーが凹状チャネルから少なくとも部分的に抜け出し、重量体が凹状チャネル内で選択的にスライド可能である、ロック解除構成と、カバーが凹状チャネル内に少なくとも部分的に配設され、重量体が凹状チャネル内に固定された、ロック構成と、に位置付け可能であり、重量体は、ロック解除構成とロック構成との間でカバーと共に移動する。
【０００９】
一例において、棚部は、カバー内に画成されており、重量体の少なくとも一部を受けるように構成されている。別の例において、カバーは、外側面を有し、棚部は、外側面に近接して配設された外壁部と反対側にある内壁部とによって少なくとも画成されており、外壁部の幅は、内壁部の幅よりも大きい。依然として別の例において、カバーがロック構成にあると、重量体は、凹状チャネル内に完全に配設される。さらに別の例において、カバーは、外側面を有し、カバーがロック構成にあると、カバーの外側面は、本体の外面と位置合わせする。一例において、カバーは、外側面を有し、重量体の少なくも一部は、ロック構成において、カバーの外側面と本体の外面との間で視認可能である。別の例において、カバーは、摩擦材料体を有する内面を有する。
【００１０】
この「課題を解決するための手段」は、「発明を実施するための形態」でさらに後述する簡素化した形態で概要の選択を導入するために提供されている。この「課題を解決するための手段」は、特許請求の範囲にある主題の重要な特徴及び必須の特徴を特定することを意図しておらず、特許請求の範囲にある主題の範囲を限定するために使用することも意図していない。
【００１１】
以下の図面を参照しながら非限定的かつ非排他的な例を説明する。
【図面の簡単な説明】
【００１２】
【図１】例示的な重量体組立体を有するゴルフクラブヘッドのソールを示す斜視図である。
【図２】図１における線２−２に沿って取ったゴルフクラブヘッドを示す横断面図であって、重量体組立体がロック構成にある、横断面図である。
【図３】図２の線３−３に沿って取った重量体組立体を示す横断面図である。
【図４】図１における線２−２に沿って取ったゴルフクラブヘッドを示す横断面図であって、重量体組立体がロック解除構成にある、横断面図である。
【図５】図４の線５−５に沿って取った重量体組立体を示す横断面図である。
【図６】別の重量体組立体を有するゴルフクラブヘッドのソールを示す斜視図である。
【図７】図６の線７−７に沿って取った重量体組立体を示す横断面図である。
【図８】別の重量体組立体を有するゴルフクラブヘッドを示す斜視図である。
【図９】別の重量体組立体を有するゴルフクラブヘッドのソールを示す斜視図である。
【図１０】クラウンの一部を取り除いた図９に示すゴルフクラブヘッドを示す頂面図である。
【図１１】図９の線１１−１１に沿って取った重量体組立体を示す横断面図である。
【図１２】図９の線１２−１２に沿って取った重量体組立体を示す横断面図である。
【図１３】別の重量体組立体を示す横断面図である。
【図１４】別の重量体組立体を有するゴルフクラブヘッドのソールを示す斜視図である。
【図１５】図１４の線１５−１５に沿って取った重量体組立体を示す横断面図であって、重量体組立体を示す横断面図である。
【図１６】図１４の線１６−１６に沿って取った重量体組立体を示す横断面図である。
【図１７】図１４の線１７−１７に沿って取った重量体組立体を示す横断面図である。
【図１８】別の重量体組立体を有するゴルフクラブヘッドを示す分解斜視図である。
【図１９】図１８の線１９−１９に沿って取った重量体組立体を示す横断面図である。
【図２０】別の重量体組立体を示す部分断面斜視図である。
【図２１】図２０に示す重量体組立体を示す別の横断面図である。
【図２２】ロック構成にある別の重量体組立体を有するゴルフクラブヘッドのソールを示す斜視図である。
【図２３】図２２の線２３−２３に沿って取った重量体組立体を示す横断面図である。
【図２４】ロック解除構成にある図２２に示す重量体組立体を有するゴルフクラブヘッドのソールを示す斜視図である。
【図２５】図２４の線２５−２５に沿って取った重量体組立体を示す横断面図である。
【図２６】別の重量体組立体を有するゴルフクラブヘッドのソールを示す斜視図である。
【図２７】図２６の線２７−２７に沿って取った重量体組立体を示す横断面図である。
【図２８】別の重量体組立体を有するゴルフクラブヘッドのソールを示す分解斜視図である。
【図２９】図２８に示す重量体組立体を示す横断面図である。
【図３０】別の重量体組立体を有するゴルフクラブヘッドのソールを示す斜視図である。
【図３１】図３０の線３１−３１に沿って取った重量体組立体を示す横断面図である。
【図３２】別の重量体組立体を有するゴルフクラブのソールを示す斜視図である。
【図３３】別の重量体組立体を有するゴルフクラブのソールを示す斜視図である。
【図３４】別の重量体組立体を有するゴルフクラブのソールを示す斜視図である。
【図３５】別の重量体組立体を有するゴルフクラブのソールを示す斜視図である。
【図３６】別の重量体組立体を有するゴルフクラブのソールを示す斜視図である。
【図３７】図３６に示す重量体組立体を示す分解斜視図である。
【図３８】図３６の線３８−３８に沿って取った重量体組立体を示す横断面図である。
【図３９】図３６に示す重量体組立体のカバーを示す内面図である。
【図４０】図３６の線４０−４０に沿って取った重量体組立体であって重量体スライド構成にある重量体組立体を示す横断面図である。
【図４１】図３６の線４０−４０に沿って取った重量体組立体であって重量体取外構成にある重量体組立体を示す横断面図である。
【図４２】ロック構成にある別の重量体組立体を有するゴルフクラブのソールを示す斜視図である。
【図４３】ロック解除構成にある図４２に示す重量体組立体を有するゴルフクラブヘッドのソールを示す斜視図である。
【図４４】図４２の線４４−４４に沿って取った重量体組立体を有するゴルフクラブヘッドのソールを示す横断面図である。
【図４５】図４２の線４４−４４に沿って取った重量体組立体を示す部分断面斜視図である。
【図４６】別の重量体組立体を有するゴルフクラブヘッドを示す底面図である。
【図４７】図４６の線４７−４７に沿って取った重量体組立体を有するゴルフクラブヘッドを示す断面斜視図である。
【図４８】別のゴルフクラブヘッドを示す斜視図である。
【図４９】別の重量体組立体を有するゴルフクラブヘッドを示す底面図である。
【図５０】別の重量体組立体を示す横断面図である。
【図５１】図５０に示す重量体組立体を示す概略図である。
【図５２】図５０に示す重量体組立体のカバーを示す頂面図である。
【図５３】図５０に示す重量体組立体のカバーを示す側面図である。
【図５４】別の重量体組立体を有するゴルフクラブヘッドを示す底面図である。
【図５５】図５４の線５４−５４に沿って取った重量体組立体を示す断面斜視図である。
【図５６】図５４の線５４−５４に沿って取ったカバーを示す横断面図である。
【図５７】図５５及び図５６に示す重量体組立体の重量体を示す斜視図である。
【図５８】図５７に示す重量体を示す概略頂面図である。
【発明を実施するための形態】
【００１３】
本明細書で説明する技術は、フェアウェイメタル、ドライバーまたは他のゴルフクラブヘッドのようなゴルフクラブヘッドを意図しており、このゴルフクラブヘッドは、調整可能な重量体組立体を有する。ゴルフクラブヘッドの重量バランスを通して、ゴルフボールの飛行特性を改善し得、それにより、ゴルフクラブの性能を増加させる。本明細書で説明する例において、重量体組立体は、ゴルフクラブのヘッドのＣＧ及び／またはＭＯＩを選択的重量体の変位を通して調整できるようにし、フェイド、ドロー、打出角度、ボールスピン及び速度のようなゴルフボールの飛行特性に影響を与える。さらにまたはあるいは、重量体組立体は、ゴルフクラブヘッドのスイング重量を調整可能とする（例えば、ゴルフクラブヘッドの重量を増減する）ことができるようにする。
【００１４】
例において、本技術は、ゴルフクラブヘッドにゴルフクラブに画成された凹状チャネルを設ける。スライド可能な重量体は、チャネル内に少なくとも部分的に配設されており、カバー及び固定具によってチャネル内に固定されている。カバーは、重量体をチャネル内に間接的に保持するように構成されており、それにより、固定具は、重量体と係合しない。この構成により、ゴルフクラブヘッドのＣＧ及びＭＯＩを細かく調節し得るように、重量体のサイズ、形状及び／または密度を調節できるようにする。また、カバーは、チャネル内での重量体の固定を増加させ、ゴルフクラブのスイング中における望まないガタツキまたは移動を低減するという追加の機能を有する。さらに、本明細書で説明する重量体組立体により、構成部材をクラブヘッドから完全に取り外す必要なく、重量体を迅速かつ容易に調整することを可能とする。これにより、クラブヘッドの調整中に構成部材をなくしたり誤って配置したりすることを低減する。一態様において、重量体は、カバーと係合し、それにより、２つの構成部材は、ゴルフクラブヘッドに対して共に移動し得る。また、重量体は、カバーに対して傾くことが制限され、それにより、チャネル内で重量体を拘束することを低減または防止する。
【００１５】
図１は、例示的な重量体組立体１０４を有するゴルフクラブヘッド１００のソール１０２を示す斜視図である。ゴルフクラブヘッド１００は、本体１０６を有するメタルウッド型のゴルフクラブヘッドであり、この本体は、クラブヘッド１００の前面に向けて位置し、（例えば図８に示す）下縁部１１０及び上縁部１１２を有する打面１０８を有しており、これら下縁部及び上縁部それぞれは、クラブヘッド１００のトウ１１４とヒール１１６との間で延在する。ソール１０２は、クラブヘッド１００の底部側において下縁部１１０から延在しており、クラウン１１８は、クラブヘッド１００の頂部において上縁部１１２から延在する。ソール１０２、打面１０８及びクラウン１１８は、共に連結されており、本体１０６の外面１２０に本体内に形成される内部キャビティ１２２（図２参照）を画成する。ホーゼル１２４は、ヒール１１６に配設されており、シャフト（図示略）に連結するように構成されている。いくつかの例において、スカート１２６（図８に示す）は、同様に、クラブヘッド１００の一部を形成し得、クラウン１１８とソール１０２との間に位置する。いくつかの例において、かつ、本願のために、クラウン１１８は、依然として、スカート１２６を介して、ソール１０２に取り付けられるまたは連結されるとみなされ得る。さらに、本体１０６は、必要に応じてまたは望むなら、アイアン型のクラブヘッドまたはハイブリッド型のクラブヘッドのような任意の型のクラブヘッドを形成し得る。
【００１６】
動作時において、ソール１０２は、全体として、クラブヘッド１００をアドレス位置に置くとクラブヘッド１００の下面を形成する。クラブヘッド１００は、打面１０８で打つときにゴルフボール（図示略）の飛行特性に影響を与える重心（ＣＧ）及び慣性モーメント（ＭＯＩ）を規定する。重量体組立体１０４は、クラブヘッド１００に連結されており、それにより、クラブヘッド１００のＣＧ及び／またはＭＯＩは、必要に応じてまたは望むように選択的に調整され得る。一例において、重量体組立体１０４は、移動可能な重量体１２８と、重量体１２８を所定位置に固定するように構成されたカバー１３０と、重量体組立体１０４をクラブヘッド１００の１以上の他の部分に連結するための固定具１３２と、を有する。いくつかの例において、重量体１２８は、タングステンから形成され得る。例において、重量体１２８は、約２グラム以上約１５グラム以下であり得る。いくつかの具体的な例において、重量体１２８は、約９グラムであり得る。
【００１７】
細長い凹状チャネル１３４は、クラブヘッド１００の外面１２０に形成されている。より具体的には、チャネル１３４は、ほぼ線形であり、クラブヘッド１００のソール１０２に画成されている。他の例において、チャネル１３４は、必要に応じてまたは望むように、本体１０６の任意の他の場所（例えば、クラウン１１８またはスカート１２６）に画成され得る。チャネル１３４は、重量体１２８のうちの少なくとも一部を受けるように寸法付けられかつ形付けられており、それにより、重量体１２８は、チャネル内でスライド可能であり得る。一例において、チャネル１３４は、トウ１１４−ヒール１１６方向においてほぼ線形に延在しており、それにより、クラブヘッド１００のＣＧ及びＭＯＩは、（重量体１２８を選択的に移動させることによって）フェイドまたはドローバイアスに関して調整され得る。チャネル１３４は、図１に示すように、打面１０８の平面から角度方向で位置ズレされ得る。他の例において、チャネル１３４は、打面１０８に対してほぼ平行に延在し得る。一例において、固定具１３２は、チャネル１３４のヒール側に近接して位置付けられている。他の例において、固定具１３２は、チャネル１３４に対して任意の他の場所に位置付けられ得、重量体組立体１０４が本明細書で説明したように機能することができるようにする。例えば、図２６を参照して説明するように、チャネル１３４のほぼ中点において、または、チャネル１３４のトウ側に近接して位置付けられ得る。
【００１８】
動作時においてかつ固定具１３２の使用を通して、カバー１３０は、本体１０６に連結されており、チャネル１３４を少なとも部分的に覆うように延在しており、それにより、重量体１２８をクラブヘッド１００に対して選択的に固定する。また、カバー１３０は、チャネル１３４の少なくとも一部を覆っており、それにより、チャネル内に塵埃が溜まることを低減する。しかしながら、固定具１３２は、重量体１２８から分離しており、重量体１２８をクラブヘッド１００に対して間接的に（例えば、カバー１３０を介して）のみ固定する。例において、固定具１３２及びカバー１３０は、カバー１３０との接触によってのみチャネル１３４内に重量体１２８を保持するように構成されており、それにより、固定具１３２は、重量体１２８と決して係合しない。本明細書で説明するように、固定具１３２が重量体１２８を間接的に保持すると、固定具１３２は、重量体１２８に決して直接係合せず、別個の構成部材（例えば、カバー１３０）は、クラブヘッド１００に固定するために重量体１２８に直接係合する。
【００１９】
カバー１３０は、固定具１３２を介して、クラブヘッド１００から緩められ得または完全に取り外され得、重量体１２８がチャネル１３４内でスライドし、必要に応じてまたは望むようにＣＧ及びＭＯＩを選択的に調整できるようにする。重量体１２８が選択的移動可能であるので、重量体組立体１０４（例えば、固定具１３２、重量体１２８及びカバー１３０）は、重量体１２８の移動をできるようにしつつ、同様に、重量体１２８をクラブヘッド１００のうちの１以上の部分に固定し、それにより、（例えば、クラブをスイングしている間における）望まない移動を低減するまたは防止する。固定具１３２を重量体１２８から分離することにより、重量体１２８のサイズ、形状及び／または密度は、クラブヘッド１００のＣＧ及びＭＯＩをより細かく調節し得るように構成され得、それにより、ゴルフクラブヘッド１００の性能を増加させる。重量体組立体１０４を以下でさらに説明する。
【００２０】
図２は、図１の線２−２に沿って取りかつロック構成１３６にある重量体組立体１０４を示すゴルフクラブヘッド１００を示す横断面図である。図３は、図２の線３−３に沿って取った重量体組立体１０４を示す横断面図である。図２及び図３を共に参照すると、重量体組立体１０４がロック構成１３６にあると、カバー１３０は、チャネル１３４内に配設され、重量体１２８は、チャネル１３４内に固定され、それにより、移動を制限する。一例において、カバー１３０を本体１０６にロックするため、固定具１３２は、チャネル１３４のヒール端部内に位置付けられたナット１３８と螺合するネジ山付ボルトであり得る。いくつかの例において、ナット１３８は、本体１０６内に一体的に形成され得る。
【００２１】
カバー１３０がロック構成１３６にあると、カバー１３０の外側面１４０は、本体１０６の外面１２０とほぼ位置合わせされる（例えば、面一にされる）。さらに、固定具１３２は、固定具軸１４２を画成する。例えば、固定具軸１４２は、平面１４６に対して所定角度１４４で配設され、この平面は、カバー１３０のうち固定具１３２に近接する外側面１４０に対して垂直である。角度１４４は、カバー１３０が本体１０６に対して移動し得る方向付けを画成する。角度１４４は、約０°（例えば、平面１４６と位置合わせされる）以上約８８°以下であり得る。例えば、角度１４４は、約２０°以上約５０°以下であり得る。一例において、角度１４４は、約４５°であり得る。
【００２２】
例えば、単一の固定具１３２のみを使用してカバー１３０を本体１０６に連結し、固定具１３２は、重量体組立体１０４のヒール端部に位置付けられている。このように、カバー１３０の端部を本体１０６に接続するために、カバー１３０は、トウ端部から延在する１以上の突出部１４８を有し得る。突出部１４８は、チャネル１３４のトウ端部に画成された対応する１以上のチャンバ１５０内に受けられるように寸法付けられかつ形付けられている。重量体組立体１０４がロック構成１３６にあると、突出部１４８は、チャンバ１５０内に少なくとも部分的に受けられ、チャンバと係合する。固定具１３２とは反対側の位置においてカバー１３０を本体１０６に係合することによって、重量体１２８が固定具１３２から離間して位置付けられると、カバー１３０は、依然として、チャネル１３４内への重量体１２８の固定をできるようにし、ロック構成１３６にある重量体１２８の移動を低減するまたは防止する。例えば、突出部１４８は、カバー１３０のトウ−ヒール方向で延在しており、少なくとも１つの傾斜面１５２を有しており、この傾斜面１５２は、チャンバ１５０の対応する少なくとも１つの傾斜面１５４と摩擦係合する。いくつかの例において、傾斜面１５２、１５４は、固定具軸１４２とほぼ平行であり得る。他の例において、傾斜面１５２、１５４は、固定具軸１４２とは異なる角度（例えば、より急なまたはより緩い角度）に方向付けられ得る。またはあるいはさらに、突出部１４８及びチャンバ１５０は、トウ−ヒール方向に対してほぼ垂直に（例えば、図２の紙面内へ及び紙面外へ）延在し得る。
【００２３】
カバー１３０は、同様に、固定具１３２と反対側の端部との間の１以上の中間位置において本体１０６と係合し得る。座部１５６は、トウ端部とヒール端部との間の所定場所において、例えばチャネル１３４の中間場所に近接してチャネル１３４内へ突出し得る。座部１５６は、カバー１３０に画成された対応する刻目部１５８内に受けられるように寸法付けられかつ形付けられている。重量体組立体１０４がロック構成１３６にあると、座部１５６は、刻目部１５８内に少なくとも部分的に受けられ、刻目部１５８と係合する。このように固定具１３２から離間する位置においてカバー１３０を本体１０６に係合することは、同様に、重量体１２８をチャネル１３４内に固定し、ロック構成１３６にある重量体１２８の移動を低減するまたは防止する。一例において、座部１５６は、チャネル１３４のトウ−ヒール方向で延在し、少なくとも１つの傾斜面１６０を有しており、この傾斜面は、刻目部１５８の少なくとも１つの対応する傾斜面１６２と摩擦係合する。いくつかの例において、傾斜面１６０、１６２は、固定具軸１４２に対してほぼ平行であり得る。他の例において、傾斜面１６０、１６２は、チャネル１３４の底部に対して約３°以上約８８°以下の角度で延在し得る。一例において、傾斜面１６０、１６２は、チャネル１３４の底部に対して約３０°の角度で延在し得る。
【００２４】
カム１６４は、同様に、トウ端部とヒール端部との間にある、例えば座部１５６とチャンバ１５０との間にある所定場所でチャネル１３４内に突出し得る。カム１６４は、カバー１３０に画成された対応する切欠部１６６内に受けられるように寸法付けられかつ形付けられている。重量体組立体１０４がロック構成１３６にあると、カム１６４は、切欠部１６６内に少なくとも部分的に受けられる。図４を参照して、カム１６４及び切欠部１６６を以下にさらに説明する。
【００２５】
一例において、カバー１３０は、長脚部１６８及び短脚部１７０を有するほぼＬ字状である。ロック構成１３６において、長脚部１６８は、外側面１４０を形成し、短脚部１７０は、チャネル１３４内に延在する。チャネル１３４が２つの反対側にある側壁部１７２、１７４と本体１０６の外面１２０から位置ズレした底軌道部１７６とから形成されている。カバー１３０の長脚部１６８は、チャネル１３４の軌道部１７６と対向しており、カバー１３０の短脚部１７０は、一方の側壁部１７２に隣接している。座部１５６及びカム１６４は、チャネル１３４の側壁部１７２から突出し得、対応する刻目部１５８及び切欠部１６６は、カバー１３０の短脚部１７０内に画成され得る。重量体１２８をチャネル１３４内かつロック構成１３６に固定すると、重量体１２８は、カバー１３０とチャネル１３４のうちの１以上の壁部（例えば、側壁部１７４及び／または軌道部１７６）との間で圧迫される。このように、重量体１２８は、重量体組立体１０４によってクラブヘッド１００の１以上の位置に摩擦固定される。
【００２６】
また、重量体１２８は、カバー１３０に対してスライド可能に連結され得る。カバー１３０の長脚部１６８は、カバーから延在するフランジ１７８を有し得る。フランジ１７８は、重量体１２８に画成された対応する溝部１８０内に少なくとも部分的に受けられるように寸法付けられかつ形付けられている。ロック構成１３６において、重量体１２８の所定部分は、カバー１３０によって被覆されておらず、チャネル１３４内に露出しており、それにより、この部分は、本体１０６の外面１２０の一部を形成する。これにより、チャネル１３４内の重量体１２８の場所を目視検査によって容易に判断できるようにする。
【００２７】
図４は、図１の線２−２に沿って取ったクラブヘッド１００の横断面図であり、ロック解除構成１８２にある重量体組立体１０４を示す。図５は、図４の線５−５に沿って取った重量体組立体１０４の横断面図である。図４及び図５を参照すると、重量体組立体１０４がロック解除構成１８２にあると、カバー１３０の少なくとも一部は、チャネル１３４から上昇しかつ抜け出し、それにより、重量体１２８は、（例えば、トウ−ヒール方向１８４に沿って）チャネル１３４内で選択的にスライド可能である。一例において、固定具１３２は、（（図１６に示す）ロックワッシャ１８６を用いて）カバー１３０に連結され得、それにより、カバー１３０は、固定具１３２が回転すると、（図２に示す）固定具軸１４２に沿って移動する。カバー１３０及び固定具１３２は、必要に応じてまたは望むように、本体１０６から完全に取り外され得、それにより、重量体１２８をチャネル１３４から完全に取り外す。しかしながら、例において、重量体組立体１０４を（図２及び図３に示す）ロック構成１３６とロック解除構成１８２との間で移動させることは、重量体組立体１０４を本体１０６から連結解除することを必要としない。このように、ロック解除構成１８２において、カバー１３０は、本体１０６に連結されたままであり得、それにより、構成部材を紛失するまたは誤って配置する可能性が低い。いくつかの例において、固定具１３２及び／またはナット１３８は、硬質停止部（図示略）を有し得、この硬質停止部は、必要に応じてまたは望むように、固定具１３２がクラブヘッド１００から完全に螺合解除されることを防止する。
【００２８】
単一の固定具１３２のみを使用してカバー１３０を本体１０６に連結し、固定具１３２が重量体組立体１０４のヒール端部に位置付けられているので、カム１６４を使用してカバー１３０の端部がロック解除構成１８２においてチャネル１３４から上昇することを補助する。これにより、重量体１２８が固定具１３２から離間する位置に向けてより容易にスライドすることができるようになる。一例において、カム１６４は、チャネル１３４内をトウ−ヒール方向で延在し、少なくとも１つのカム面１８８を有し、このカム面は、切欠部１６６の対応するカム面１９０とスライド係合する。カム１６４が切欠部１６６内に受けられている場合において、カバー１３０がロック構成１３６からロック解除構成１８２に向けて移動するにしたがって、カム面１８８、１９０は、互いに当接してスライドし、カバー１３０のトウ端部を上昇させる。いくつかの例において、重量体組立体１０４がロック解除構成１８２にあると、カバー１３０の所定部分は、カム１６４に支持され得る。カム面１８８、１９０は、固定具軸１４２に対してほぼ平行であり得る。
【００２９】
また、ロック解除構成１８２において、刻目部１５８は、座部１５６から離間するように上昇し得、（図２に示すように）傾斜面１６０、１６２を係合解除する。ロック解除構成１８２において、刻目部１５８は、座部１５６に関して部分的にまたは完全に上昇し得る。突出部１４８は、同様に、チャンバ１５０から離間するように上昇し得る。しかしながら、突出部１４８は、チャンバ１５０と少なくとも部分的に係合したままであり得、それにより、重量体１２８は、カバー１３０のトウ端部から外へスライドできず、ロック解除構成１８２においてチャネル１３４内にあるままとなる。さらに、重量体１２８がカバー１３０（例えば、フランジ１７８及び溝部１８０）と係合しているので、重量体１２８は、ロック構成１３６とロック解除構成１８２との間でカバー１３０と共に移動する。これにより、重量体１２８は、ロック解除構成１８２においてより容易にスライド可能であるようにできる。
【００３０】
いくつかの例において、１以上の重量体１２８、カバー１３０及びチャネル１３４は、（例えば、対応するカバー１３０にある戻止部及び重量体１２８にある（図示しない）凹所）相補的な機能を有し得、これら相補的な機能は、チャネル１３４及び／またはカバー１３０に対する重量体１２８の場所をインデックス付けする。これら相補的なインデックス機構は、重量体１２８が動いたときの触覚的なかつ／または可聴のフィードバックを提供し得る。また、相補的なインデックス機構は、同様に、重量体組立体１０４がロック構成１３６にあるときに、重量体１２８とチャネル１３４及び／またはカバー１３０との間の相対移動に対する増加した提供を提供し得る。
【００３１】
図６は、別の重量体組立体２００を有するゴルフクラブヘッド１００のソール１０２を示す斜視図である。図７は、図６の線７−７に沿って取った重量体組立体２００を示す横断面図である。特定の構成部材は、上述されており、そのため、必ずしもさらに説明しない。図６及び図７を同時に参照すると、重量体組立体２００は、クラブヘッド１００の本体１０６のソール１０２内に画成された凹状チャネル２０２を有するが、チャネル２０２は、前後方向でほぼ線形に延在しており、それにより、クラブヘッド１００のＣＧ及びＭＯＩは、打出角度バイアスのために調整され得る。チャネル２０２は、図６に示すように、打面１０８に対してほぼ垂直であり得る。他の例において、チャネル２０２は、打面１０８に対して鋭角または鈍角に延在し得る。重量体組立体２００は、同様に、スライド可能な重量体２０４、カバー２０６及び固定具２０８を有する。この例において、固定具２０８は、チャネル２０２の後部に近接してかつ打面１０８の反対側に位置付けられている。他の例において、固定具２０８は、チャネル２０２に対する任意の他の場所に位置付けられ得、重量体組立体２００が本明細書で説明したように機能できるようにする。例えば、チャネル２０２のおおよそ中点に、または、チャネル２０２の打面１０８側に近接して、位置付けられ得る。
【００３２】
この例において、チャネル２０２は、２つの反対側にある側壁部、すなわちカバー側壁部２１０及びアンダーカット付側壁部２１２、並びに、本体１０６の外面１２０から位置ズレした底軌道部２１４によって形成されている。部分壁部２１６は、同様に、底軌道部２１４から延在する。ここで、カバー２０６は、カバー側壁部２１０に隣接して位置しており、角度付面２１８を有する。このように、重量体組立体２００がロック構成（例えば、図７）にあると、カバー２０６は、角度付面２１８に沿って圧迫力２２０を発生させ、この力は、下方向及び横方向双方で作用し、重量体２０４をカバー２０６とアンダーカット付側壁部２１２との間に固定する。したがって、重量体２０４は、重量体組立体２００によってクラブヘッド１００の１以上の部分に摩擦固定されており、かつ、角度付面２１８及びアンダーカット付側壁部２１２の下方に少なくとも部分的に固定されている。重量体２０４は、横断面形状において少なくとも部分的に台形状であり、それにより、側壁部２１２及びカバー２０６のアンダーカットは、重量体２０４をチャネル２０２内に保持することを補助する。また、カバー２０６は、部分壁部２１６と係合し、それにより、カバー２０６のうち固定具２０８から離間する部分は、チャネル２０２をアンダーカット付側壁部２１２に向けて移動する（例えば、曲がるまたは撓む）ことが抑制されている。さらに、部分壁部２１６は、固定具２０８の固定具軸（図示略）に対してほぼ平行であり、それにより、カバー２０６は、ロック構成とロック解除構成との間で案内される。いくつかの例において、重量体組立体２００は、上述したような座部／刻目部インタフェースを有し得、カバー２０６をチャネル２０２内にさらに係合させ、クラブヘッド１００の１以上の位置への重量体２０４の固定を増加させる。
【００３３】
図８は、別の重量体組立体３００を有するゴルフクラブヘッド１００を示す斜視図である。特定の構成部材は、上述されており、そのため、必ずしもさらに説明はしない。この例において、クラブヘッド１００は、打面１０８の反対側においてクラウン１１８とソール１０２との間に位置付けられたスカート１２６を有する。重量体組立体３００は、クラブヘッド１００の本体１０６のスカート１２６内に画成された凹状チャネル３０２を有し、クラブヘッド１００の後周縁部に沿って延在しており、それにより、チャネル３０２は、湾曲形状を有する。重量体組立体３００は、同様に、スライド可能な重量体３０４、カバー３０６及び固定具３０８を有する。この例において、固定具３０８は、本体１０６のヒール１１６側に連結されている。他の例において、固定具３０８は、必要に応じてまたは望むように、本体１０６のトウ１１４側に連結され得る。重量体組立体３００は、本明細書で説明した重量体組立体の機能のうちの１以上を有し得、クラブヘッド１００のＣＧ及びＭＯＩをフェイド−ドローバイアスに関して調整可能にできるようにしつつ、（図８に示すように）ロック構成に重量体３０４を固定する。
【００３４】
図９は、別の重量体組立体４００を有するゴルフクラブヘッド１００のソール１０２を示す斜視図である。図１０は、図９に示すゴルフクラブヘッド１００を示す上面図であり、クラウン１１８の一部を取り除いている。特定の構成部材は、上述されており、そのため、必ずしもさらに説明しない。図９及び図１０を共に参照すると、重量体組立体４００は、クラブヘッド１００の本体１０６のソール１０２内に画成された凹状チャネル４０２を有しており、この凹状チャネル４０２は、トウ１１４−ヒール１１６方向でほぼ線形に延在する。重量体組立体４００は、同様に、スライド可能な重量体４０４、カバー４０６及び固定具４０８を有する。チャネル４０２は、重量体４０４がスライドする底軌道部４１０を有する。この例において、固定具４０８及び固定具４０８が連結するナット４１２は、軌道部４１０から位置ズレされており、本体１０６の後部に向けて位置付けられている。固定具４０８を軌道部４１０から位置ズレさせることによって、軌道部４１０の長さをトウ−ヒール方向で延長し得、それにより、重量体４０４は、ソール１０２にあるより多くの数の場所に位置付けられ得る。他の例において、固定具４０８は、軌道部４１０から位置ズレされ、本体１０６の前方にかつ打面１０８に向けて位置付けられ得る。
【００３５】
この例において、１以上の支持リブ４１４は、チャネル４０２からかつ本体１０６の内部キャビティ１２２内で延在し得る。支持リブ４１４は、チャネル４０２の長さに対してほぼ垂直である。支持リブ４１４は、チャネル４０２に構造的な強度を提供し、それにより、チャネル４０２は、カバー４０６がチャネル内にある重量体４０４を圧迫したときの変形に抗する。いくつかの例において、支持リブ４１４は、内部キャビティ１２２内においてソール１０２とクラウン１１８との間の全距離に延在し得る。
【００３６】
図１１は、図９の線１１−１１に沿って取った重量体組立体４００を示す横断面図である。図１２は、図９の線１２−１２に沿って取った重量体組立体４００を示す横断面図である。特定の構成部材は、上述されており、そのため、必ずしもさらに説明しない。図１１及び図１２を共に参照すると、重量体組立体４００は、ロック構成で図示されており、それにより、重量体４０４は、チャネル４０２内に固定されている。この例において、重量体４０４は、弾性材料体４１６（例えば、ゴムベースの材料体）を有しており、この弾性材料体は、チャネル４０２及び／またはカバー４０６と係合し、ロック構成にある重量体４０４の固定をさらに増加させる。また、弾性材料体４１６は、クラブヘッドのスイング中にチャネル４０２内で重量体４０４のガタツキを低減する。
【００３７】
この例において、チャネル４０２は、２つの反対側にある側壁部４１８、４２０と軌道部４１０とから形成されている。一方の側壁部４２０は、チャネル４０２内へ延在する細長いフィン４２２を有し得る。重量体４０４は、チャネル４０２内に少なくとも部分的に受けられるように寸法付けられかつ形付けられており、軌道部４１０に隣接して位置付けられた底面４２４と、フィン４２２と係合するスロット４２６と、を有する。また、スロット４２６の反対側において、重量体４０４は、カバー４０６のフランジ４３０と係合する溝部４２８を有する。弾性材料体４１６は、重量体４０４に連結され得、それにより、材料体４１６は、底面４２４から、そして同様にスロット４２６内へ延在する。一例において、弾性材料体４１６は、重量体４０４内にある１以上の穴部を通して延在する単一片であり得る。他の例において、弾性材料体４１６は、重量体４０４の１以上の外側面に付着され得る。依然として他の例において、弾性材料体４１６のうちの少なくとも一部は、重量体４０４自体を形成し得る。
【００３８】
動作時において、カバー４０６がロック構成にあると、フランジ４３０は、重量体４０４の溝部４２８と係合し、重量体４０４をチャネル４０２内へ圧迫する。このように、弾性材料体４１６は、軌道部４１０及びチャネル４０２のフィン４２２と係合し得る。弾性材料体４１６を１以上の場所に係合することによって、チャネル４０２内における重量体４０４の固定を増加させる。これにより、チャネル４０２内における重量体４０４の望まない移動及びガタツキを低減する。いくつかの例において、弾性材料体４１６は、チャネル４０２内で圧迫されると変形し得る。カバー４０６が重量体４０４の一部のみと係合しているので、カバー４０６をロック解除構成（図示略）に関して上昇させる（符号４３２）と、重量体４０４は、チャネル４０２内を回転し得（符号４３４）、それにより、弾性材料体４１６は、軌道部４１０及びフィン４２２から係合解除し得る。この回転移動４３４により、ロック解除構成にある間に、弾性材料体４１６がチャネル面から離間して少なくとも部分的に位置付けられているので、重量体４０４がチャネル４０２内でより容易にスライド可能にすることができる。いくつかの例において、底面４２４から延在する弾性材料体４１６は、溝部４２８に近接しているのみであり得、それにより、重量体４０４の回転移動４３４を増加させる。
【００３９】
カバー４０６横断面（図１２参照）においてほぼＬ字状であり、カバー内に重量体４０４の少なくとも一部を受ける。カバーは、フランジ４３０を有する第１脚部４３６と、チャネル４０２の側壁部４１８に隣接する第２脚部４３８と、を有する。フランジ４３０は、第２脚部４３８に対してほぼ平行であり得、それにより、長さ方向でカバー４０６構造的な剛性を増加させる。第２脚部４３８は、軌道部４１０の陥凹部４４０内に少なくとも部分的に延在し得、それにより、ロック構成にある間にカバー４０６が曲がることを減少させる。また、一例において、カバー４０６の突出部４４２は、形状においてほぼ筒状であり得る。突出部４４２は、対応する筒状チャンバ４４４内に受けられている。この突出部４４２及びチャンバ４４４構造は、（図１１に示すように）ロック構成におけるカバー４０６の本体１０６との係合を増加させる。いくつかの例において、突出部４４２の突出軸４４６は、固定具軸４４８に対してほぼ平行であり得る。この方向付けは、ロック構成とロック解除構成との間でカバー４０６の移動を案内する。いくつかの例において、突出部４４２は、テーパ状鼻部を有し得る。この例において、重量体４０４及びチャネル４０２は、相補的な機能部４５０を有し得、この機能部は、チャネル４０２に対する重量体４０４の場所をインデックス付けする。
【００４０】
図１３は、別の重量体組立体５００を示す横断面図である。特定の構成部材は、上述されており、必ずしもさらに説明しない。図９から図１２に説明した例と同様に、この例において、重量体組立体５００は、クラブヘッドの本体１０６内に画成された凹状チャネル５０２を有する。重量体組立体５００は、同様に、スライド可能な重量体５０４及びカバー５０６を有する。カバー５０６は、ロック構成で示されており、重量体５０４のスロット５０８は、チャネル５０２のフィン５１０と係合する。しかしながら、この例において、重量体５０４の底面５１２は、チャネル５０２の軌道部５１４に直接当接して位置付けられている。また、この例において、重量体５０４の底面５１２は、中空部５１６を有する。中空部５１６は、重量体組立体５００がロック解除構成（図示略）にあると、重量体５０４にかかる摩擦スライド力を低減する。中空部５１６は、同様に、重量体５０４のサイズ及び形状を形成できるようにしつつ、重量体５０４の必要なまたは所望の質量及び／または密度を維持する。いくつかの例において、弾性材料体（図示略）は、中空部５１６内に少なくとも部分的に配設され得る。
【００４１】
図１４は、別の重量体組立体６００を有するゴルフクラブヘッド１００のソール１０２を示す斜視図である。特定の構成部材は、上述されており、そのため、必ずしもさらに説明しない。重量体組立体６００は、クラブヘッド１００の本体１０６のソール１０２内に画成された凹状チャネル６０２を有する。チャネル６０２は、トウ１１４−ヒール１１６方向でほぼ湾曲形状を有しており、それにより、クラブヘッド１００のＣＧ及びＭＯＩは、フェイド−ドローバイアスに関して調整可能であり得る。いくつかの例において、ソール１０２及びクラウン１１８を共に連結した場合に、チャネル６０２の湾曲は、本体１０６の後周縁部と一致する。重量体組立体６００は、同様に、スライド可能な重量体６０４、カバー６０６及び固定具６０８を有する。
【００４２】
この例において、固定具６０８は、湾曲チャネル６０２の凹状領域内で本体１０６の打面１０８に向けて位置付けられている。この位置により、重量体６０４を本体１０６の後周縁部に隣接して位置付け、固定具６０８を湾曲チャネル６０２の凸状領域に位置付けて重量体６０４を打面１０８に接近させることと比較すると、クラブヘッド１００のＣＧ及びＭＯＩの調整度を増加させる。また、重量体６０４は、トウ１１４側からヒール１１６側まで完全にスライドし得、固定具６０８に隣接してもチャネル６０２の任意の位置に位置し得る。他の例において、固定具６０８は、必要に応じてまたは望むように、湾曲チャネル６０２の凸状領域に位置付けられ得る。固定具６０８は、同様に、チャネル６０２のほぼ中点に位置付けられている。他の例において、固定具６０８は、チャネル６０２の中点から位置ズレされ得る、または、２以上の固定具６０８を使用してカバー６０６を（チャネル６０２の端部それぞれにおいて）本体１０６に連結し得る。
【００４３】
図１５は、図１５の線１５−１５に沿って取ったクラブヘッド１００を示す横断面図であり、重量体組立体６００を示す。図１６は、図１４の線１６−１６に沿って取った重量体組立体６００を示す横断面図である。図１７は、図１４の線１７−１７に沿って取った重量体組立体６００を示す横断面図である。特定の構成部材は、上述されており、そのため、必ずしもさらに説明しない。図１５から図１７を共に参照すると、重量体組立体６００は、ロック構成で図示されており、重量体６０４は、底面６１０及び溝部６１２を有する。タブ６１４は、溝部６１２に隣接して配設されている。また、重量体６０４は、弾性材料体６１４を有する。この例において、弾性材料体６１４は、重量体６０４に連結されており、底面６１０からそして溝部６１２内へ延在する。弾性材料体６１４は、チャネル６０２に対してオーバーサイズとされており（例えば、０．１ミリメートル以上１．０ミリメートル以下の重なり）、それにより、材料体６１４は、変形しつつ、チャネル６０２内に圧迫され得る。他の例において、弾性材料体６１４は、重量体６０４の外側面に付着され得る。依然として他の例において、弾性材料体６１４は、重量体６０４自体を少なくとも部分的に形成し得る。
【００４４】
カバー６０６は、重量体６０４の溝部６１２と係合するフランジ６１６を有するほぼＣ字状である。また、カバー６０６は、頂脚部６１８と、フランジ６１６の反対側にある側脚部６２０と、を有する。頂脚部６１８は、フランジ６１６及び側脚部６２０より大きい厚さを有し、それにより、長さ方向におけるカバー６０６の構造的な剛性を増加させる。固定具６０８は、ロックワッシャ１８６によってカバー６０６に連結されており、このロックワッシャは、固定具６０８がカバー６０６に対して回転することができるようにしつつ、カバー６０６が固定具軸６２２に沿って移動することを可能とし、チャネル６０２に対してカバー６０６を昇降させる。
【００４５】
動作時において、カバー６０６がロック構成にあると、カバー６０６のフランジ６１６は、重量体６０４の溝部６１２内に係合する。これにより、重量体６０４は、カバー６０６とチャネル６０２の底軌道部６２４との間に圧迫される。ロック構成において、弾性材料体６１４は、カバー６０６及びチャネル６０２双方と係合し、クラブヘッド１００の１以上の部分への重量体６０４の固定を増加させる。いくつかの例において、複数の溝部６２６は、底軌道部６２４内に画成されており、弾性材料体６１４は、溝部６２６内へ変形し、チャネル６０２内における重量体６０４の固定を容易にする。また、重量体６０４のタブ６１４は、本体１０６の外面１２０に近接して位置付けられ得、それにより、重量体６０４の位置は、視認可能であり得る。重量体組立体６００がロック解除構成（図示略）にあると、カバー６０６は、チャネル６０２から外へ少なくとも部分的に上昇され、それにより、重量体６０４は、例えばタブ６１４を介して、チャネル内で選択的にスライド可能であり得る。
【００４６】
カバー６０６の端部それぞれは、ほぼ筒状の突出部６２８を有し得、この突出部は、チャネル６０２の対応する筒状チャンバ６３０内に受けられる。突出部６２８は、固定具軸６２２に対してほぼ平行な突出軸６３２に沿って延在する。この方向付けにより、カバー６０６の移動をロック構成とロック解除構成との間で案内する。いくつかの例において、突出部６２８は、テーパ状鼻部を有し得る。また、チャンバ６３０は、図１５及び図１６に示すように、本体１０６の内部キャビティ１２２内へ開口し得る。他の例において、チャンバ６３０は、内部キャビティ１２２から閉塞され得る。１以上の支持リブ６３４は、同様に、必要に応じてまたは望むように、軌道部６２４からかつ内部キャビティ１２２内で延在し得る。
【００４７】
図１８は、別の重量体組立体７００を有するゴルフクラブヘッド１００を示す分解斜視図である。特定の構成部材は、上述されており、そのため、必ずしもさらに説明しない。図１４から図１７で説明した例と同様に、この例において、重量体組立体７００は、クラブヘッド１００の本体１０６内に画成された凹状チャネル７０２を有しており、チャネル７０２は、トウ１１４−ヒール１１６方向でほぼ湾曲形状を有する。いくつかの例において、ソール１０２とクラウン１１８とを共に連結すると、チャネル７０２の湾曲は、本体１０６の後周縁部と一致する。重量体組立体７００は、同様に、スライド可能な重量体７０４、カバー７０６及び固定具７０８を有する。カバー７０６の端部それぞれにおいて、突出部７１０は、チャネル７０２内に係合するために延在し得る。
【００４８】
図１９は、図１８の線１９−１９に沿って取った重量体組立体７００を示す横断面図である。特定の構成部材は、上述されており、そのため、必ずしもさらに説明しない。重量体組立体７００は、図１９におけるロック構成で示されており、重量体７０４の底面７１２は、チャネル７０２の軌道部７１４に直接当接して位置付けられている。また、この例において、重量体７０４の底面７１２は、中空部７１６を有する、中空部７１６は、重量体組立体７００がロック解除構成（図示略）にあると、重量体７０４にかかる摩擦スライド力を低減する。中空部７１６は、同様に、重量体７０４のサイズ及び形状を形成する事ができるようにしつつ、重量体７０４の必要なまたは望ましい質量及び／または密度を維持する。いくつかの例において、弾性材料体（図示略）は、中空部７１６内に少なくとも部分的に配設されている。
【００４９】
また、カバー７０６は、重量体７０４に当接する角度付面７１８を有する。このように、重量体組立体７００がロック構成（例えば、図１９）にあると、カバー７０６は、角度付面７１８に沿って圧迫力７２０を発生させ、この圧迫力は、下方及び横方向双方に作用し、重量体７０４をカバー７０６とチャネル７０２のアンダーカット付側壁部７２２との間に固定する。このように、重量体７０４は、重量体組立体７００によって、クラブヘッド１００の１以上の部分に摩擦固定される。
【００５０】
図２０は、別の重量体組立体８００を示す部分横断面図である。図２１は、重量体組立体８００を示す別の横断面図である。特定の構成部材は、上述されており、そのため、必ずしもさらに説明しない。図２０及び図２１を共に参照すると、横断面図は、例えば図１６及び図１７を参照して上述した例と同様に、ゴルフクラブヘッドの前後方向にほぼ沿っている。重量体組立体８００は、本体１０６内に画成された凹状チャネル８０２を有する。重量体組立体８００は、同様に、スライド可能な重量体（図示略）、カバー８０４及び固定具８０６を有する。この例において、チャネル８０２は、底軌道部８０８と２つの反対側にある側壁部８１０、８１２とによって画成されている。底軌道部８０８は、弾性材料体８１４を有し、この弾性材料体は、底軌道部に連結され、チャネル８０２内へ少なくとも部分的に延在する。弾性材料体８１４は、重量体と係合し、ロック構成におけるチャネル８０２内への重量体の固定をさらに増加させる。また、弾性材料体８１４は、クラブヘッドのスイング中における重量体のガタツキを低減する。さらにまたはあるいは、弾性材料体８１４は、必要に応じてまたは望むように、側壁部８１０、８１２のうちの１以上に連結され得る。依然として他の例において、弾性材料体８１４は、カバー８０４に連結され得る。
【００５１】
この例において、弾性材料体８１４は、チャネル８０２の長手方向長さに沿って延在する。弾性材料体８１４の端部８１６それぞれにおいて、材料体の一部は、チャネル８０２内にあるアンダーカット領域８１８内に延在し得、それにより、弾性材料体８１４をチャネル８０２内に固定する。他の例において、弾性材料体８１４は、必要に応じてまたは望むように、チャネル８０２またはカバー８０４内に付着され得る。弾性材料体８１４の端部８１６は、カバー８０４の突出部８２２から位置ズレ８２０され得、それにより、弾性材料体８１４は、本明細書で説明したロック構成とロック解除構成との間におけるカバー８０４の移動と干渉しない。
【００５２】
図２２は、ロック構成にある別の重量体組立体９００を有するゴルフクラブヘッド１００のソール１０２を示す斜視図である。図２３は、図２２の線２３−２３に沿って取った重量体組立体９００を示す横断面図である。特定の構成部材は、上述されており、そのため、必ずしもさらに説明しない。図２２及び図２３を共に参照すると、重量体組立体９００は、ロック構成で示されており、クラブヘッド１００の本体１０６のソール１０２内に画成された凹状チャネル９０２を有する。チャネル９０２は、トウ１１４−ヒール１１６方向でほぼ湾曲形状を有しており、それにより、クラブヘッド１００のＣＧ及びＭＯＩは、フェイド−ドローバイアスに関して調整可能であり得る。いくつかの例において、チャネル９０２の湾曲は、ソール１０２及びクラウン１１８を共に連結すると、本体１０６の後周縁部に一致する。重量体組立体９００は、同様に、トウ側にあるスライド可能な重量体９０４、ヒール側にあるスライド可能な重量体９０６、トウ側にあるカバー９０８、ヒール側にあるカバー９１０及び固定具９１２を有する。
【００５３】
この例において、固定具９１２は、チャネル９０２内に配設されており、重量体組立体９００を約半分に分割する。固定具９１２をチャネル９０２内に位置付けることによって、クラブヘッド１００への重量体組立体９００のサイズを低減する。また、固定具９１２の質量は、上述した固定具の例よりも打面１０８からさらに後方に移動する。重量体９０４、９０６は、図２２に示すように、カバー９０８、９１０面から延在する。他の例において、重量体９０４、９０６は、必要に応じてまたは望むように、他の凹状側面から延在し得る。この例では、重量体がチャネル９０２のトウ側からヒール側までそして逆方向に完全にスライドすることを固定具９１２が防止しているので、２つのスライド可能な重量体９０４、９０６を説明する。いくつかの例において、重量体組立体９００は、１つのみのスライド可能な重量体を有し得、固定具９１２及びカバー９０８、９１０は、重量体がトウ１１４側とヒール１１６側との間を通ることを可能とするように構成されている。他の例において、重量体組立体９００は、組立体を完全に分解することを必要とする１つのみのスライド可能な重量体を有し得、それにより、重量体をトウ側からヘッド側そして逆方向に移動させる。依然として他の例において、重量体９０４、９０６は、必要に応じてまたは望むように、チャネル９０２から完全に取外し可能であり得る。
【００５４】
カバー９０８、９１０それぞれの一端部は、例えば本明細書で説明したように突出部／チャネルインタフェースを用いて、チャネル９０２と係合する一方で、カバー９０８、９１０それぞれの他の反対側の端部は、固定具９１２と係合する。この例において、固定具９１２は、ヘッドの下方に配設されたワッシャ９１４を有する。ワッシャ９１４は、ネジ山付シャフトから延在するほぼ筒状のフランジであり、このネジ山付シャフトは、カバー９０８、９１０内にある対応する溝部９１６双方と係合する。重量体組立体９００がロック構成にあると、カバー９０８、９１０は、チャネル９０２内に配設され、溝部９１６を介して固定具９１２を用いて所定位置に固定され得、それにより、重量体９０４、９０６は、チャネル９０２内をスライドできず、所定位置でロックされる。また、カバー９０８、９１０は、本体１０６の外面と面一である。いくつかの例において、カバー９０８、９１０のうち溝部９１６を画成する部分は、チャネル９０２の底軌道部９１８までずっと延在し得、それにより、固定具９１２を過度に締結することを低減するまたは防止する。
【００５５】
図２４は、重量体組立体９００がロック解除状態で示されたゴルフクラブヘッド１００のソール１０２を示す斜視図である。図２５は、図２４の線２５−２５に沿って取った重量体組立体９００を示す横断面図である。特定の構成部材は、上述されており、そのため、必ずしもさらに説明しない。図２４及び図２５を共に参照すると、重量体組立体９００は、ロック解除構成で示されている。重量体組立体９００が（図２２及び図２３に示す）ロック構成から移動すると、固定具９１２は、チャネル９０２から外へ少なくとも部分的に上昇するように回転される。固定具９１２のこの移動により、同様に、カバー９０８、９１０のうちワッシャ９１４と係合している端部をチャネル９０２から外へ少なくとも部分的に上昇させ、それにより、重量体９０４、９０６がチャネル９０２内でスライドできるようにする。いくつかの例において、重量体９０４、９０６は、カバー９０８、９１０と各別に係合し得、それにより、移動を容易にするために、軌道部９１８から離間するように上昇する。
【００５６】
いくつかの例において、カバー９０８、９１０及び固定具９１２は、必要に応じてまたは望むように、本体１０６から完全に取り外され得、それにより、重量体９０４、９０６をチャネル９０２から完全に取り外す。しかしながら、重量体組立体９００をロック構成とロック解除構成との間で移動させることは、重量体組立体９００を本体１０６から連結解除することを必要としない。このように、ロック解除構成において、カバー９０８、９１０は、本体１０６に連結されたままであり、それにより、構成部材を紛失したり誤って配置したりすることがあまりない。
【００５７】
この例において、カバー９０８、９１０がロック解除構成にあると、カバー９０８、９１０のうち固定具９１２の反対側にありかつ（例えば、突出部／チャネルインタフェースを用いて）チャネル９０２と係合する端部は、チャネル９０２と係合したままであり、カバー９０８、９１０が回転する回動点を形成し得る。他の例において、カバー９０８、９１０のうち固定具９１２の反対側にある端部は、本明細書で説明するように、チャネル９０２から外へ少なくとも部分的に上昇し得る。例えば、上述のように、カム及び切欠部インタフェースを通して行う。
【００５８】
図２６は、別の重量体組立体１０００を有するゴルフクラブヘッド１００のソール１０２を示す斜視図である。図２７は、図２６の線２７−２７に沿って取った重量体組立体１０００を示す横断面図である。特定の構成部材は、上述されており、そのため、必ずしもさらに説明しない。図２６及び図２７を共に参照すると、重量体組立体１０００は、ソール１０２内に画成されたほぼ線形の凹状チャネル１００２を有する。重量体組立体１０００は、同様に、スライド可能な重量体１００４、カバー１００６及び固定具１００８を有する。この例において、固定具１００８は、チャネル１００２のほぼ中点に位置付けられてクラブヘッド１００の後部に向けて位置ズレされ得る。固定具１００８を中点場所に位置付けることによって、固定具１００８とカバー１００６の遠い端部との間の距離を低減し、それにより、重量体１００４を固定するためのカバー１００６とチャネル１００２との間の係合を増加させる。
【００５９】
図６及び図７を参照して上述した例と同様に、チャネル１００２は、２つの反対側にある側壁部、カバー側壁部１０１０及びアンダーカット付側壁部１０１２、並びに、本体１０６の外面１２０から位置ズレした底軌道部１０１４によって形成されている。部分壁部１０１６は、同様に、底軌道部１０１４から延在している。カバー１００６は、カバー側壁部１０１０に隣接して位置しており、角度付面１０１８を有する。このように、重量体組立体１０００がロック構成（例えば、図２７）にあると、カバー１００６は、角度付面１０１８に沿う圧迫力を発生させ、この圧迫力は、下方及び横方向双方に作用し、カバー１００６とアンダーカット付側壁部１０１２との間で重量体１００４を固定する。したがって、重量体１００４は、重量体組立体１０００によって摩擦固定されており、角度付面１０１８及びアンダーカット付側壁部１０１２の下方に少なくとも部分的にある。したがって、カバー１００６は、溝部１０２０を介して部分壁部１０１６と完全に係合し、それにより、カバー１００６のうち固定具１００８から離間する部分は、チャネル１００２内をアンダーカット付側壁部１０１２に向けて移動する（例えば、曲がるまたは撓む）ことが制限される。さらに、部分壁部１０１６は、固定具１００８の固定具軸（図示略）に対してほぼ平行であり、それにより、カバー１００６は、ロック構成とロック解除構成との間の移動を案内する。
【００６０】
図２８は、別の重量体組立体１１００を有するゴルフクラブヘッド１００のソール１０２を示す分解斜視図である。図２９は、重量体組立体１１００を示す横断面図である。特定の構成部材は、上述されており、そのため、必ずしもさらに説明しない。図２８及び図２９を共に参照すると、重量体組立体１１００は、ソール１０２内に画成されたほぼ線形の凹状チャネル１１０２を有する。重量体組立体１１００は、同様に、スライド可能な重量体１１０４、カバー組立体１１０６及び固定具１１０８を有する。この例において、固定具１１０８は、チャネル１１０２のほぼ中点に位置付けられ、クラブヘッド１００の後部に向けて位置ズレされ得る。上述のように、カバー組立体１１０６がロック構成にあると、カバー組立体１１０６は、本体１０６に連結され、それにより、重量体１１０４は、移動やガタツキなく重量体組立体１１００内に固定される。この例において、カバー組立体１１０６は、固定具部材１１１０、２つの反対側にある長手方向部材１１１２及び横方向部材１１１４を含む４片の組立体である。
【００６１】
カバー組立体１１０６をロック構成（例えば、図２９）に向けて移動させると、固定具１１０８は、本体１０６に締結される。固定具１１０８は、固定具部材１１１０と係合し、固定具部材１１１０を固定具軸（図示略）に沿ってチャネル１１０２内へ移動させる。固定具部材１１１０は、長手方向部材１１１２双方と係合するテーパ状面を有しており、それにより、固定具部材１１１０は、チャネル１１０２内に引き下げられ、長手方向部材１１１２は、同様に、チャネル１１０２内に引き下げられ、角度付面１１１８に沿って圧迫力１１１６を発生させる。圧迫力１１１６は、下方及び横方向双方で横方向部材１１１４に作用し、横方向部材１１１４をチャネル１１０２内に位置付けて重量体１１０４を横方向部材１１１４とチャネルの側壁部１１２０との間で圧迫する。
【００６２】
また、重量体組立体１１００を本体１０６から引っ張り出すことを低減するまたは防止するため、横方向部材１１１４は、チャネル１１０２の切欠部１１２２と係合し得る。長手方向部材１１１２からの圧迫力１１１６は、横方向部材を切欠部１１２２に当接させてロックし、それにより、移動を防止する。さらにまたはあるいは、重量体１１０４の一部は、チャネル１１０２の側壁部１１２０と係合し得、それにより、重量体組立体１１００を本体１０６から引っ張り出すことを低減する。また、固定具部材１１１０は、同様に、長手方向部材１１１２を固定具１１０８から離間するように押し（例えば、矢印１１２４）、それにより、部材１１１２の端部１１２６は、チャネル１１０２内にある対応するチャンバ１１２８と係合し、同様に、重量体組立体１１００を本体１０６から引っ張り出すことを低減し得る。
【００６３】
図３０は、別の重量体組立体１２００を有するゴルフクラブヘッド１００のソール１０２を示す斜視図である。図３１は、図３０の線３１−３１に沿って取った重量体組立体１２００を示す横断面図である。特定の構成部材は、上述されており、そのため、必ずしもさらに説明しない。図３０及び図３１を共に参照すると、重量体組立体１２００は、ロック解除構成で示されており、凹状チャネル１２０２と、スライド可能な重量体１２０４と、カバー１２０６と、固定具１２０８と、を有する。チャネル１２０２、重量体１２０４及び固定具１２０８の構造、寸法、形状及び方向付けは、上述した例のいずれかと同様であり得る。しかしながら、この例において、カバー１２０６の幅１２１０は、打面１０８に向けて伸長しており、そのため、カバー１２０６は、ソール１０２のより大きい部分を形成し、チャネル１２０２の一部のみを被覆していない。
【００６４】
いくつかの例において、カバー１２０６は、ソール１０２の表面積の７５％以上を形成し得る。他の例において、カバー１２０６は、ソール１０２の表面積の５０％以上を形成し得る。依然として他の例において、カバー１２０６は、ソール１０２の表面積の２５％以上を形成し得る。依然としてさらなる例において、カバー１２０６は、ソール１０２の表面積の約１０％以上約９０％以下であり得る。他の例において、カバー１２０６は、ソール１０２の表面積の約２５％以上約７５％以下であり得る。
【００６５】
重量体組立体１２００のカバー１２０６を広げることによって、本体１０６のソール１０２を形成するゴルフクラブヘッド構造は、低減し得る。いくつかの例において、カバー１２０６は、本体１０６を製造する材料よりも軽量の材料（例えば、複合材料、プラスチックなど）から製造され得る。このように、必要に応じてまたは望むように、ソール構成を構築することによって節約した重量をクラブヘッド１００の他の場所で使用し得、ゴルフボールの飛行特性を改善するためにクラブヘッド１００のＣＧ及びＭＯＩを調整することをさらにできるようにする。いくつかの例において、ソールを構築することによって節約した重量をスライド可能な重量体１２０４内へ戻して含ませ得る。例えば、カバー１２０６は、１１グラム以上だけソールを構築する重量を低減し得、この質量のうちの一部またはすべてを重量体１２０４内へ少なくとも部分的に含ませ得る。
【００６６】
カバー１２０６は、カバーから延在する突出部１２１２を有し得、この突出部は、上述した例で説明したようにカバー１２０６の構造的な剛性を増加させるためにチャネル１２０２の端部それぞれ内で対応するチャンバ１２１４と係合するように構成されている。一例において、突出部１２１２は、ほぼ筒状であり得、固定具軸１２１６に対して平行であり得る。カバー１２０６のうち固定具１２０８から反対側において、カバー１２０６は、延長縁部１２２０に隣接する補強材１２１８を有し、この補強材は、クラブヘッド１００の残りのソール１０２と摩擦係合し、縁部１２２０を本体１０６に固定する。いくつかの例において、補強材１２１８は、固定具軸１２１６に対してほぼ平行な角度で延在し得、それにより、本明細書で説明したように、ロック構成とロック解除構成との間でカバー１２０６の移動を案内する。補強材１２１８は、補強材１２１８の構造的な剛性を増加させるための１以上のブラケット１２２２を有し得る。
【００６７】
図３２は、別の重量体組立体１３００を有するゴルフクラブヘッド１００のソール１０２を示す斜視図である。特定の構成部材は、上述されており、そのため、必ずしもさらに説明しない。図３０及び図３１で説明した例と同様に、重量体組立体１３００は、スライド可能な重量体１３０４をクラブヘッド１００の１以上の部分に選択的に固定する細長いカバー１３０２を有する。しかしながら、この例において、固定具１３０６は、打面１０８により向けてかつカバー１３０２の延長縁部１３０８に隣接して位置付けられている。この例は、ゴルフクラブヘッド１００の本体１０６に対する縁部１３０８の固定を増加させる。他の例において、固定具１３０６は、必要に応じてまたは望むように、他の場所に位置付けられ得る。例えば、固定具は、トウ１１４側に向けて、ヒール１１６側に向けて、カバー１３０２に中心付けられて、など、位置付けられ得る。
【００６８】
図３３は、別の重量体組立体１４００を有するゴルフクラブヘッド１００のソール１０２を示す斜視図である。特定の構成部材は、上述されており、そのため、必ずしもさらに説明しない。図３０から図３２で説明した例と同様に、重量体組立体１４００は、スライド可能な重量体１４０４をクラブヘッド１００の１以上の部分に選択的に固定する細長いカバー１４０２を有する。しかしながら、この例において、カバー１４０２は、ほぼＶ字状である延長した縁部１４０６を有する。また、カバー１４０２は、トウ１１４−ヒール１１６方向で対称である。他の例において、カバー１４０２は、必要に応じてまたは望むように、トウ１１４−ヒール１１６方向で非対称であり得る。
【００６９】
図３４は、別の重量体組立体１５００を有するゴルフクラブヘッド１００のソール１０２を示す斜視図である。特定の構成部材は、上述されており、そのため、必ずしもさらに説明しない。図３０から図３３で説明した例と同様に、重量体組立体１５００は、スライド可能な重量体１５０４をクラブヘッド１００の１以上の部分に選択的に固定する細長いカバー１５０２を有する。しかしながら、この例において、カバー１５０２は、トウ１１４側の方向で非対称である。他の例において、カバー１５０２は、必要に応じてまたは望むように、ヒール１１６側の方向で非対称であり得る。
【００７０】
図３５は、別の重量体組立体１６００を有するゴルフクラブヘッド１００のソール１０２を示す斜視図である。特定の構成部材は、上述されており、そのため、必ずしもさらに説明しない。図３０から図３４で説明した例と同様に、重量体組立体１６００は、スライド可能な重量体１６０４をクラブヘッド１００の１以上の部分に選択的に固定する細長いカバー１６０２を有する。しかしながら、この例において、カバー１６０２は、ほぼＣ字状の延長した縁部１６０６を有する。また、カバー１６０２は、トウ１１４−ヒール１１６方向で対称である。他の例において、カバー１６０２は、必要に応じてまたは望むように、トウ１１４−ヒール１１６方向で非対称である。
【００７１】
図３６は、別の重量体組立体１７００を有するゴルフクラブヘッド１００のソール１０２を示す斜視図である。図３７は、重量体組立体１７００を示す分解斜視図である。特定の構成部材は、上述されており、そのため、必ずしもさらに説明しない。図３６及び図３７を共に参照すると、凹状チャネル１７０２は、クラブヘッド１００の本体１０６のソール１０２内に画成されている。チャネル１７０２は、トウ１１４−ヒール１１６方向でほぼ湾曲形状を有しており、それにより、クラブヘッド１００のＣＧ及びＭＯＩは、フェイド−ドローバイアスに関して調整され得る（例えば、重量体組立体１７００のカバー１７０６にある「Ｆ」及び「Ｄ」の表示）。一例において、チャネル１７０２の湾曲は、ソール１０２とクラウン１１８とを共に連結した場合に、打面１０８の反対側において本体１０６の後外周縁部にほぼ対応する。重量体組立体１７００は、スライド可能な重量体１７０４、カバー１７０６及び固定具１７０８を有する。
【００７２】
この例において、カバー１７０６は、トウ端部１７１０及び反対側のヒール端部１７１２を有するほぼＵ字状である。固定具１７０８は、ロックワッシャ１７１４（例えば、保持クリップ）によってカバー１７０６に連結されており、ロックワッシャは、端部１７１０、１７１２間のほぼ中点においてカバー１７０６の内側凹面側に位置付けられている。固定具１７０８は、本体１０６のソール１０２内に形成されたナット１７１６と螺合するネジ山付ボルトである。ロックワッシャ１７１４は、固定具１７０８を回転させるとカバー１７０６を凹状チャネル１７０２に関して固定具軸１７１８（図３８参照）に沿って線形移動Ｍ（例えば、昇降）させることができる。固定具１７０８は、本体１０６の前方かつ打面１０８に向けて凹状チャネル１７０２から位置ズレされている。固定具１７０８から凹状チャネル１７０２を位置ズレさせることによって、凹状チャネル１７０２の長さをトウ−ヒール方向で延長させ得、それにより、重量体１７０４は、ソール１０２のより多い数の場所で位置付けられ得る。また、固定具をカバー１７０６の内側凹面側に隣接して位置付けることによって、重量体１７０４は、本体１０６の外周縁部に近接して配設され、それにより、重量体１７０４は、クラブヘッド１００のＣＧ及びＭＯＩの調整度を増加させる。
【００７３】
カバー１７０６の端部１７１０、１７１２それぞれは、カバーから延在する突出部１７２０を有する。突出部１７２０は、凹状チャネル１７０２の端部に画成された対応するチャンバ１７２２内にかつ本体１０６のソール１０２内に受けられるように寸法付けられかつ形付けられている。突出部１７２０は、ほぼ筒状形状であり得、本体１０６とのカバー１７０６の係合を増加させ、それにより、重量体１７０４は、カバー１７０６によって凹状チャネル１７０２内に固定すると、移動やガタツキを制限する。突出部１７２０（図３８参照）の突出部１７２４は、固定具軸１７１８に対してほぼ平行であり、それにより、凹状チャネル１７０２に対するカバー１７０６の移動を案内する。
【００７４】
動作時において、重量体組立体１７００は、少なくとも３つの構成間で選択的に移動可能であり、クラブヘッド１００のＣＧ及びＭＯＩを調整可能とすることができる。より具体的には、第１のまたはロック構成において、カバー１７０６は、凹状チャネル１７０２内に少なくとも部分的に配設されており、それにより、重量体１７０４は、チャネル１７０２内に固定され、移動を制限する。このロック構成を図３６に示す。重量体組立体１７００がロック構成にあると、突出部１７２０は、チャンバ１７２２内に少なくとも部分的に受けられ、チャンバと係合する。カバーの端部１７１０、１７１２においてカバー１７０６を本体１０６に係合することによって、重量体１７０４が固定具１７０８から離間して位置付けられると、カバー１７０６は、依然として、チャネル１７０２内での重量体１７０４の固定をできるようにし、ロック構成にある重量体１７０４の移動を低減するまたは防止する。ロック構成は、ゴルフクラブヘッド１００をスイングするときに使用される。
【００７５】
また、重量体組立体１７００は、少なくとも２の他の構成へ位置付け可能であり得、これら他の構成は、凹状チャネル１７０２と共に選択的にスライド可能にできるようにし、また、重量体１７０４を重量体組立体１７００及びクラブヘッド１００から完全に取外し可能にできるようにする。第２のすなわち重量体移動構成において、カバー１７０６は、凹状チャネル１７０２から部分的に抜け出し、重量体１７０４の位置を調整し得る。しかしながら、重量体１７０４は、依然として、重量体組立体１７００内に保持されており、クラブヘッド１００から完全には取り外され得ない。この構成を図４０に示し、以下で詳述する。第３のまたは重量体取外構成において、カバー１７０６は、重量体１７０４を完全に取り外し得るように位置付けられており、例えば、それにより、（例えば、別の質量を有する）別の重量体をクラブヘッド１００と共に使用し得、それにより、スイング重量を調整する。この構成を図４１に示し、以下に詳述する。しかしながら、３つの構成それぞれにおいて、カバー１７０６は、本体１０６に連結されたままであり、それにより、カバー１７０６を完全に取り外す必要はない。しかしながら、いくつかの例において、重量体組立体１７００は、必要に応じてまたは望むように、本体１０６から完全に取外し可能である
【００７６】
部分壁部１７２６は、凹状チャネル１７０２内に配設されている。重量体１７０４は、対応する凹所１７２８（図３８に示す）を有しており、それにより、重量体１７０４は、部分壁部１７２６に沿ってスライドし得る。部分壁部１７２６は、重量体組立体１７００が重量体移動構成にあると、重量体１７０４を完全に取り外すことを少なくとも部分的に防止する。いくつかの例において、重量体１７０４は、少なくとも１つの位置決機構１７３０（図３７）を有し得る。機構１７３０は、複数の位置決ラグ１７３２（図３９に示す）のうちの１以上と係合するように寸法付けられかつ形付けられており、これら位置決ラグは、重量体組立体１７００がロック構成にあると、カバー１７０６から延在する。位置決ラグ１７３２及び機構１７３０は、凹状チャネル１７０２内の具体的な場所に重量体１７０４を位置決めすることを容易にする。一例において、位置決ラグ１７３２は、ほぼ円錐台状であり、位置決機構１７３０は、対応する凹状形状を有する。他の例において、ラグ１７３２及び機構１７３０は、カバー１７０６及び重量体１７０４が本明細書で説明したように機能できるようにする他の形状及び／またはサイズを有し得る。
【００７７】
図３８は、図３６の線３８−３８に沿って取った重量体組立体１７００を示す横断面図である。特定の構成部材は、上述されており、そのため、必ずしもさらに説明しない。上述のように、重量体１７０４は、カバー１７０６によって凹状チャネル１７０２内に固定されている。固定具１７０８は、カバー１７０６をゴルフクラブヘッドの本体１０６に位置付けて固定し、そのため、固定具１７０８は、重量体１７０４を間接的にのみ保持する。いくつかの例において、ワッシャ（図示略）は、固定具１７０８にかつ本体１０６とカバー１７０６との間に位置付け得る。凹状チャネル１７０２は、角部１７３８を有するほぼＬ字状構成で配設された底軌道壁部１７３４及び側壁部１７３６によって横断面で形成されている。この例において、角部１７３８は、９０°以下の角度を有する。別の態様において、角部１７３８は、９０°未満の角度を有し、それにより、側壁部１７３６は、アンダーカットされている。このように、重量体組立体１７００がロック構成にあると、カバー１７０６は、重量体１７０４を角部１７３８内にかつ側壁部１７３６に当接して楔付けし、凹状チャネル１７０２内に、かつ、側壁部１７３６の下方に少なくとも部分的に、重量体１７０４を摩擦固定する。
【００７８】
角部１７３８に隣接してかつ底軌道壁部１７３４上において、部分壁部１７２６は、上方向で延在しかつ高さＨ１を有する。重量体１７０４は、部分壁部１７２６の少なくとも一部を受ける対応する凹所１７２８を有する。部分壁部１７２６は、ロックかつ重量体スライド構成にあるときに、重量体１７０４を重量体組立体１７００内に少なくとも部分的に収容する。重量体１７０４は、同様に、凹状チャネル１７０２からかつカバー１７０６の下方から外へ突出する尾部１７４０を有する。重量体１７０４の尾部１７４０は、必要に応じてまたは望むように、ユーザが重量体１７０４を把持したりスライドさせたりするための構造を形成する。尾部１７４０は、同様に、クラブヘッドの外面において視認可能であり、それにより、尾部の位置は、視覚検査によって容易に判断される。この例において、尾部１７４０は、凹状チャネル１７０２の底軌道壁部１７３４の形状に少なくとも部分的に対応する。他の例において、尾部１７４０は、必要に応じてまたは望むように、他のサイズ及び／または形状を有し得る。
【００７９】
図３９は、重量体組立体１７００（図３６から図３８に示す）のカバー１７０６の内面１７４２を示す図である。カバー１７０６は、凹面を有するほぼＵ字状であり、開口部１７４４において固定具を受ける。凹面に近接して、内面１７４２は、複数の位置決ラグ１７３２を有し、これら位置決ラグは、重量体１７０４（図３７参照）内で位置決機構１７３０と係合するように構成されている。（例えば、第１のロック構成において）係合すると、カバー１７０６は、凹状チャネルの角部内にかつ側壁部に当接して重量体を楔付けする。しかしながら、カバー１７０６が凹状チャネルから抜け出すと、位置決ラグ１７３２は、重量体から係合解除し、それにより、（例えば、重量体スライド構成において）重量体を移動させ得る、または、それにより、（例えば、重量体取外構成において）重量体を完全に取り外し得る。
【００８０】
カバー１７０６の端部１７１０、１７１２それぞれは、突出部１７２０を有しており、この突出部は、固定具に加え、カバー１７０６をクラブヘッドの本体に固定する。この例において、突出部１７２０は、３つの構成（例えば、ロック、重量体移動及び重量体取外構成）すべてにおいて、チャンバ１７２２（図３７に示す）と係合する。さらに、突出部１７２０は、同様に、３つの構成それぞれを少なくとも部分的に画成する。突出部１７２０は、ほぼ筒状形状であり、本体のソールを通ってかつチャンバ１７２２を介してクラブヘッドの内部キャビティ内へ延在する。この例において、突出部１７２０は、ほぼ筒状の突出部１７２０から周方向に間隔をあけた複数の可撓性腕部１７４６を有する。図示のように、突出部１７２０は、３つの別個の可撓性腕部１７４６を有する。他の例において、突出部１７２０は、必要に応じてまたは望むように、他の数（例えば、２つ、４つ、５つなど）の可撓性腕部１７４６有し得る。
【００８１】
図４０は、図３６の線４０−４０に沿って取った重量体スライド構成にある重量体組立体１７００を示す横断面図である。突出部１７２０は、（カバー１７０６の内面１７４２に対する）遠位端部１７４８を有し、この遠位端部は、テーパ状鼻部として形成されており、それにより、カバー１７０６は、クラブヘッドの本体１０６内に圧入され得、内部キャビティ１２２内へかつチャンバ１７２２にわたって延在する。例えば、可撓性腕部１７４６は、径方向に反り得、それにより、チャンバ１７２２を通して延在し、所定位置にスナップ係合する。この接続により、カバー１７０６を本体１０６に固定し、そして、必要に応じてまたは望むように、完全に取り外すことが可能となる。しかしながら、カバー１７０６は、重量体１７０４を調整するために取り外される必要はない。遠位端部１７４８は、突出部１７２０の径方向外側に延在する少なくとも１つの停止部１７５０を有する。この例において、突出部１７２０は、テーパ状鼻部の一部として形成されている。突出部１７２０は、同様に、（カバー１７０６の内面１７４２に対する）近位端部１７５２を有し、この近位端部は、ほぼ筒状の柱体として形成されている。近位端部１７５２は、カバー１７０６がロック構成にあると、チャンバ１７２２と摩擦係合する。この係合により、（固定具に加え）カバー１７０６が重量体１７０４を凹状チャネル１７０２内に固定することを容易にする。また、リブ１７５４は、遠位端部１７４８と近位端部１７５２との間に位置付けられており、停止部１７５０から距離Ｄ１だけ位置ズレしている。
【００８２】
カバー１７０６が重量体１７０４を凹状チャネル１７０２内に固定しているときに重量体組立体１７００を（図３６に示す）ロック構成から、重量体１７０４が凹状チャネル１７０２内でスライドできるようにする（図４０に示す）重量体移動構成まで、移動させるため、ネジ山付固定具１７０８を回転させ、それにより、カバー１７０６は、凹状チャネル１７０２から抜け出す。リブ１７５４がチャンバ１７２２の端壁部１７５６と係合すると、カバー１７０６がさらに移動することを制限し、クラブヘッドの本体１０６に対する高さＨ２までカバー１７０６を上げる。このように、カバー１７０６は、重量体組立体１７００が重量体移動構成にあることを表示する。重量体移動構成を越えて重量体取外位置まで重量体組立体１７００を移動させるため、可撓性腕部１７４６が撓んでカバー１７０６が凹状チャネル１７０２からさらに抜け出し得るまで、リブ１７５４とチャンバ１７２２との間の係合を克服するように、（固定具１７０８の回転を介して）さらなる力を重量体組立体１７００に生じさせる。
【００８３】
図４１は、図３６の線４０−４０に沿って取り、重量体取外構成にある重量体組立体１７００を示す横断面図である。いったん（例えば、固定具１７０８を回転させてカバー１７０６の移動を駆動させることを介して）リブ１７５４と端壁部１７５６との係合を強引に克服すると、重量体組立体１７００は、（図４０に示す）重量体移動構成から重量体取外構成まで移動し得る。重量体取外構成において、カバー１７０６が凹状チャネル１７０２からさらに抜け出すので、重量体１７０４は、凹状チャネル１７０２から完全に取り外され得る。停止部１７５０がチャンバ１７２２の端壁部１７５６と係合すると、カバー１７０６のさらなる移動を制限し、カバー１７０６を高さＨ３まで上げる。高さＨ３は、（図４０に示す）以前の重量体スライド構成の高さＨ２より大きい。このように、カバー１７０６は、重量体組立体１７００が重量体取外構成にあり重量体１７０４を完全に取り外し得ることを示す。いくつかの例において、重量体組立体１７００は、重量体取外構成を越えて移動され得、カバー１７０６を完全に取り外すことを可能とする。この場合において、可撓性腕部１７４６が撓んでカバー１７０６を完全に取り外し得るまで、停止部１７５０とチャンバ１７２２との間の係合を克服するように、さらなる力を重量体組立体１７００に生じさせる。一例において、停止部１７５０は、リブ１７５４よりも径方向で大きく、そのため、カバー１７０６を完全に取り外すために必要な力は、重量体移動構成と重量体取外構成との間で移動するために必要な力よりも大きい。
【００８４】
リブ１７５４が重量体移動構成を少なくとも部分的に画成し、停止部１７５０が重量体取外構成を少なくとも部分的に画成するので、（図４０に示す）リブ１７５４と停止部１７５０との間の距離Ｄ１は、カバー１７０６が２つの異なる構成Ｈ２及びＨ３間で上がる高さを画成する。一態様において、距離Ｄ１は、約５ｍｍであり得る。また、一例において、距離Ｄ１は、（図３７及び図３８に示す）部分壁部１７２６の高さＨ１以上であり得、それにより、重量体取外構成において、重量体１７０４は、部分壁部１７２６よりも上昇し得、重量体組立体１７００から取り外され得る。他の例において、リブ１７５４及び停止部１７５０のうちのいずれかは、カバー１７０６から完全に取り外され得、それにより、カバー１７０６は、必要に応じてまたは望むように、２つの構成のみの間で移動する。
【００８５】
図４２は、ロック構成にある別の重量体組立体１８０４を有する別のゴルフクラブヘッド１８００のソール１８０２を示す斜視図である。ゴルフクラブヘッド１８００は、フェアウェイメタル型のゴルフクラブヘッドであり、このヘッドは、（図４３に示す）下縁部１８１０及び上縁部１８１２を有する打面１８０８を有し、縁部それぞれは、トウ１８１４とヒール１８１６との間で延在する。ソール１８０２は、クラブヘッド１８００の底部側にある下縁部１８１０から延在し、クラウン１８１８は、クラブヘッド１８００の頂部にある上縁部１８１２から延在する。ソール１８０２、打面１８０８及びクラウン１８１８は、共に連結されており、それにより、（図４４に示す）内部キャビティ１８２２が形成されている本体１８０６の外面１８２０を画成する。ホーゼル１８２４は、ヒール１８１６に配設されており、シャフト（図示略）に連結するように構成されている。フェアウェイメタル型のクラブヘッド１８００における構成部材（例えば、ソール、打面、クラウン、ホーゼルなど）の機能は、図１から図４１におけるメタルウッド型のゴルフクラブヘッドの例において上述した構成部材の機能と同様である。しかしながら、フェアウェイメタル型のゴルフクラブヘッド１８００は、地面から直接ボールを打ち得、それにより、突出部分のないソール１８０２のほぼ滑らかな外面１８２０を必要とするまたは望む。図４２に示すように、クラブヘッド１８００は、フェアウェイメタル型のクラブヘッドであるが、本体１８０６は、必要に応じてまたは望むなら、アイアン型のクラブヘッド、ハイブリッド型のクラブヘッドまたはメタルウッド型のクラブヘッドなど、任意の型のクラブヘッドを形成し得る。さらに、後述する重量体組立体１８０４の機能は、必要に応じてまたは望むように、追加でまたはあるいは、本明細書で説明する任意の型のクラブヘッドで利用され得る。
【００８６】
この例において、凹状チャネル１８２６は、クラブヘッド１８００の本体１８０６のソール１８０２内に画成されている。チャネル１８２６は、トウ１８１４−ヒール１８１６方向で延在しており、それにより、クラブヘッド１８００のＣＧ及びＭＯＩは、フェイド−ドローバイアスに関して調整され得る（例えば、重量体組立体１８０４のカバー１８３０にある「Ｆ」及び「Ｄ」の表示）。重量体組立体１８０４は、チャネル１８２６内に少なくとも部分的に配設されたスライド可能な重量体１８２８と、チャネル１８２６を少なくとも部分的に覆うように延在するカバー１８３０と、カバー１８３０を本体１８０６に連結するように構成された固定具１８３２と、を有する。固定具１８３２は、カバー１８３０を介して間接的に重量体１８２８を凹状チャネル１８２６内に保持し、それにより、重量体１８２８を使用してクラブヘッド１８００のＣＧ及びＭＯＩを調整し得る。この例において、重量体組立体１８０４及び凹状チャネル１８２６は、ゴルフクラブヘッド１８００の前部セクションに位置している。「前部セクション」は、ソール１８０２及びクラウン１８１８が打面１８０８から最も遠くで共に連結されている場合に、重量体１８２８が本体１８０６の最も後方の外周縁部よりも打面１８０８に近接していること、を意味する。
【００８７】
図４２に示すように、重量体組立体１８０４は、ロック構成にあり、カバー１８３０は、凹状チャネル１８２６内に少なくとも部分的に配設されており、重量体１８２８は、チャネル１８２６内に固定され、移動は、制限されている。カバー１８３０及び重量体組立体１８０４がロック構成にあると、重量体１８２８は、チャネル１８２６内に完全に配設されており、重量体１８２８のいずれの部分も本体１８０６の外面１８２０より上方に延在しない。また、カバー１８３０は、外側面１８３４を有し、カバー１８３０及び重量体組立体１８０４がロック構成にあると、カバー１８３０の外側面１８３４は、本体１８０６の外面１８２０と位置合わせされ、カバー１８３０のいずれの部分も本体１８０６の外面１８２０から上方に延在しない。重量体組立体１８０４が凹状チャネル１８２６内に完全に配設されており、かつ、本体１８０６の外面１８２０と少なくとも位置合わせされているまたは外面の下方にあるので、クラブヘッド１８００の外面１８２０における平滑性を維持し、それにより、地面との良好な相互作用を促進する。
【００８８】
図４３は、ロック解除構成にある重量体組立体１８０４を有するゴルフクラブヘッド１８００のソール１８０２を示す斜視図である。特定の構成部材は、上述されており、そのため、必ずしもさらに説明しない。固定具１８３２の回転を介して、カバー１８３０は、凹状チャネル１８２６からそしてロック解除構成へ少なくとも部分的に抜け出し得る。ロック解除構成において、重量体１８２８は、チャネル１８２６内を選択的にスライド可能であり、それにより、必要に応じてまたは望むように、ＣＧ及びＭＯＩを調整する。この例において、重量体１８２８は、カバー１８３０と係合し、それにより、重量体１８２８は、ロック解除構成とロック構成との間でカバー１８３０と共に移動し、ロック解除構成にあると、凹状チャネル１８２６から少なくとも部分的に抜け出す。当然ながら、図４２及び図４３が２つの異なる構成、すなわちロック構成及びロック解除構成にある重量体組立体１８０４を示して説明したが、重量体組立体１８０４は、必要に応じてまたは望むように、２を超える構成間で移動可能であり得る。例えば、重量体組立体１８０４は、図３６から図４１を参照して上述したように、少なくとも３つの構成、すなわちロック構成、重量体移動構成及び重量体取外構成間で移動し得る。
【００８９】
図４４は、図４２の線４４−４４に沿って取った重量体組立体１８０４を有するゴルフクラブヘッド１８００を示す横断面図である。図４５は、図４２の線４４−４４に沿って取った重量体組立体１８０４を示す部分斜視横断面図である。図４４及び図４５を共に参照すると、特定の構成部材は、上述されており、そのため、必ずしもさらに説明しない。固定具１８３２は、本体１８０６のソール１８０２内に形成されたナット１８３６と螺合するネジ山付ボルトである。固定具１８３２は、ロックワッシャ１８３８によってカバー１８３０に連結されており、それにより、（例えば、固定具１８３２の回転を介した）線形移動をカバー１８３０に伝達し、カバー１８３０は、本明細書で説明したように、凹状チャネル１８２６内へまたは凹状チャネルから外へ移動し得る。
【００９０】
この例において、チャネル１８２６は、底軌道部１８４０及び２つの反対側にある側壁部１８４２、１８４４によって画成されている。第１側壁部１８４２は、打面１８０８に隣接しており、第２側壁部１８４４は、ソール１８０２の後部に隣接している。カバー１８３０は、長脚部１８４６及び短脚部１８４８を有するほぼＬ字状である。短脚部１８４８は、固定具１８３２に連結された部分を有しており、短脚部１８４８及び固定具１８３２は、第２側壁部１８４４に隣接して位置付けられている。短脚部１８４８は、同様に、フランジ１８５０を有する。重量体１８２８は、フランジ１８５０を受けるように寸法付けられかつ形付けられた溝部１８５２を有する。重量体１８２８は、カバー１８３０と、かつ、溝部１８５２内に少なくとも部分的に受けられたフランジ１８５０と、スライド可能に係合している。カバー１８３０と重量体１８２８との間のこの係合により、重量体１８２８は、カバー１８３０と共に（図４２に示す）ロック構成と（図４３に示す）ロック解除構成との間で移動する（例えば、チャネル１８２６から抜け出しかつチャネル内へ戻るように降下する）ことができるようになりつつ、同様に、重量体１８２８は、重量体組立体がロック解除構成にあると、トウ−ヒール方向でカバー１８３０に対してスライドできるようになる。カバー１８３０がロック構成にあると、長脚部１８４６は、同様に、重量体１８２８をほぼ被覆し、それにより、クラブヘッド１８００の外面１８２０の平滑性を増加させる。
【００９１】
底軌道部１８４０は、チャネル１８２６内へ延在する複数の隆起部１８５４を有する。この例では、３つの隆起部１８５４があり、これら隆起部それぞれは、重量体１８２８のフェードバイアス位置、重量体１８２８のドローバイアス位置及び重量体１８２８の中央中立位置に各別に対応している。また、第１側壁部１８４２は、複数の隆起部１８５４に対応する複数の窪部１８５６を有する。重量体１８２８は、隆起部１８５４を受けるように寸法付けられかつ形付けられた中空部１８５８と、窪部１８５６内に受けられるように寸法付けられかつ形付けられた位置表示器１８６０と、を有する。動作時において、重量体組立体１８０４が（図４３に示す）ロック解除構成にあると、重量体１８２８は、隆起部１８５４の上方へ上がり、それにより、重量体は、隆起部１８５４とチャネル１８２６の窪部１８５６との間で選択的に移動され得る。いったん重量体１８２８を位置付けると、重量体組立体１８０４は、（図４２に示す）ロック構成へ移動し得、選択した隆起部１８５４は、重量体１８２８の中空部１８５８内に少なくとも部分的に受けられ、位置表示器１８６０は、選択した窪部１８５６内に少なくとも部分的に受けられる。
【００９２】
この例において、重量体１８２８の位置表示器１８６０の少なくとも一部は、重量体組立体１８０４がロック構成にあると、クラブヘッド１００の外面１８２０において視認可能である。これにより、ユーザは、クラブヘッド１８００にある重量体１８２８の位置を容易に視覚的に確認することが可能となる。当然ながら、３つの隆起部１８５４及び窪部１８５６を示して説明したが、任意の他の数の隆起部及び窪部の位置決機構を設けて凹状チャネル１８２６内における重量体１８２８の位置を確定し得る。例えば、５組の隆起部及び窪部を設け得る。また、位置表示器１８６０は、切欠部を有し、それにより、カバー１８３０が（図４３に示す）ロック解除構成へ上がると、位置表示器１８６０は、窪部１８５６から外へ完全にスライドし、第１側壁部１８４２の上方へ移動し得、重量体１８２８の位置を調整する。
【００９３】
カバー１８３０は、同様に、１以上の突出部１８６２を有し得、これら突出部は、凹状チャネル１８２６の対応するチャンバ１８６４内に受けられるように寸法付けられかつ形付けられている。突出部１８６２は、本体１８０６とのカバー１８３０の係合を増加させるように構成されており、それにより、重量体１８２８は、カバー１８３０によって凹状チャネル１８２６内に固定されると、移動やガタツキを制限する。いくつかの例において、突出部１８６２は、図３６から図４１を参照して上述した突出部と同様であり得、１以上の可撓性腕部、テーパ状鼻部、停止部及び少なくとも１つのリブを有する。
【００９４】
図４６は、別の重量体組立体１９００を有するゴルフクラブヘッド１８００を示す底面図である。図４７は、図４６の線４７−４７に沿って取った重量体組立体１９００を有するゴルフクラブヘッド１８００を示す斜視横断面図である。図４６及び図４７を共に参照すると、特定の構成部材は、上述されており、そのため、必ずしもさらに説明しない。図４２から図４５で説明した例と同様に、重量体組立体１９００は、スライド可能な重量体１９０４を凹状チャネル１９０６内に選択的に固定するカバー１９０２を有する。重量体１９０４は、カバー１９０２と係合し、それにより、重量体１９０４は、２以上の構成間でカバー１９０２と共に移動する。しかしながら、この例において、カバー１９０２は、カバー１９０２がロック構成にあると、チャネル１９０６内に重量体１９０４を完全に被覆する。カバー１９０２は、少なくとも部分的に透光性を有する材料から形成され得、それにより、重量体１９０４の位置は、ユーザに視認可能である。
【００９５】
図４８は、別のゴルフクラブヘッド２０００を示す斜視図である。図４９は、別の重量体組立体２００２を有するゴルフクラブヘッド２０００を示す底面図である。図４８及び図４９を共に参照すると、ゴルフクラブヘッド２０００は、アイアン型のゴルフクラブヘッドであり、このゴルフクラブヘッドは、ゴルフボールを打つように構成された打面２００４を有する。打面２００４は、トップライン部分２００６、トウ部分２００８及びヒール部分２０１０に接続されている。トウ部分２００８及びヒール部分２０１０は、同様に、トップライン部分２００６に少なくとも部分的に接続されている。ヒール部分２０１０は、シャフト（図示略）に連結されるように構成されたホーゼル２０１２に接続されている。ゴルフクラブヘッド２０００は、同様に、バック部分２０１６を有し、このバック部分は、ソール２０１４、トップライン部分２００６、トウ部分２００８及びヒール部分２０１０に少なくとも部分的に取り付けられている。
【００９６】
打面２００４、トップライン部分２００６、トウ部分２００８、ヒール部分２０１０及びバック部分２０１６のようなゴルフクラブヘッド２０００の構成部材は、鋼鉄のような金属材料からなり得る。ゴルフクラブヘッド２０００の構成部材は、鋳造処理を通して形成され得る。いくつかの構成部材は、単一片として鋳造され得、残りの構成部材は、鋳造処理に続いて取り付けられ得る。例えば、ソール２０１４、トップライン部分２００６、トウ部分２００８、ヒール部分２０１０及びバック部分２０１６は、単一片として鋳造され得る。そして、打面２００４は、溶接または２つのクラブヘッド構成部材を互いに取り付けるための他の適切な処理を介してその単一片に取り付けられ得る。このような例において、打面２００４は、挿入片であり得る。
【００９７】
動作時において、ソール２０１４は、クラブヘッド２０００をアドレス位置に配置すると、全体として、クラブヘッド２０００の下面を形成する。クラブヘッド２０００は、打面２００４で打つとゴルフボールの飛行特性に影響を与える重心（ＣＧ）及び慣性モーメント（ＭＯＩ）を規定する。重量体組立体２００２は、クラブヘッド２０００に連結されており、それにより、クラブヘッド２０００のＣＧ及び／またはＭＯＩは、必要に応じてまたは望むように、選択的に調整され得る。この例において、重量体組立体２００２は、移動可能な重量体２０１８と、重量体２０１８を所定位置に固定するように構成されたカバー２０２０と、重量体組立体２００２をクラブヘッド２０００のうちの１以上の位置に連結するための固定具２０２２と、を有する。細長い凹状チャネル２０２４は、クラブヘッド２０００のソール２０１４に形成されており、重量体２０１８の少なくとも一部を受けるように寸法付けられているかつ形付けられている。上述した例と同様に、固定具２０２２は、カバー２０２０によって間接的にのみ重量体２０１８をチャネル２０２４内に保持するように構成されている。また、カバー２０２０は、固定具２０２２を介して、緩められ得、または完全に取り外され得、必要に応じてまたは望むように、重量体２０１８がチャネル２０２４内でスライドし、ＣＧ及びＭＯＩを選択的に調整できるようにする。
【００９８】
この例において、固定具２０２２は、重量体組立体２００２のトウ端部に位置付けられており、チャネル２０２４と位置合わせされている。他の例において、固定具２０２２は、必要に応じてまたは望むように、重量体組立体２００２のヒール端部に位置付けられ得る。
【００９９】
図５０は、別の重量体組立体２１００を示す横断面図である。図５１は、重量体組立体２１００を示す概略図である。図５０及び図５１を共に参照すると、凹状チャネル２１０２は、クラブヘッド（上述したクラブヘッド１００、１８００及び／または２０００）の本体２１０４内に画成されている。重量体組立体２１００は、スライド可能な重量体２１０６及びカバー２１０８を有する。固定具（図示略）は、チャネル２１０２内に重量体２１０６を保持するために使用されている。この例において、カバー２１０８は、重量体２１０６をチャネル２１０２内に固定すると、重量体２１０６の少なくとも一部と係合する内面２１１０を有する。この例において、カバー２１０８の内面２１１０の少なくとも一部は、摩擦材料ライナー２１１２を有する。摩擦材料体２１１２は、カバー２１０８がロック構成にあると、重量体２１０６と摩擦係合するように構成されている。重量体２１０６をカバー２１０８と摩擦係合することによって、重量体２１０６は、チャネル２１０２内に固定されつつ、重量体２１０６のチャネル内におけるガタツキを低減するまたは防止する。この例において、摩擦材料体は、黄銅のような柔らかい金属材料であり得る。
【０１００】
摩擦材料体２１１２は、重量体２１０６と対になる表面に複数の溝部２１１４を有し得る。この例において、溝部２１１４は、三角形状であり得るが、本明細書では、他の形状も同様に想定される。クランプ負荷２１１６は、摩擦材料体２１１２にかけられており、材料体は、（図５１に示すように）撓んで重量体２１０６を所定位置に保持し、チャネル２１０２、重量体２１０６及びカバー２１０８の組合体の特有の表面に一致する。いったん変形を行って接触応力を設立すると、摩擦材料体２１１２は、さらには変形しない。重量体２１０６をカバー２１０８と摩擦係合することによって、重量体２１０６は、チャネル２１０２内の任意の場所に位置付けられ得、インデックス機構を有する必要はない。また、インデックス機構を除去することにより、重量体２１０６及びチャネル２１０２は、よりほぼ平坦な表面を有し、この表面は、製造効率を増加させる。
【０１０１】
この例において、カバー２１０８は、同様に、１以上の突出刻目部２１１８を有し得、これら突出刻目部は、本体２１０４内にある対応するキャビティ２１２０と係合する。刻目部２１１８は、ほぼ円形状を有し得る。刻目部２１１８及びキャビティ２１２０を図５２及び図５３を参照して以下で詳述する。当然ながら、摩擦材料体２１１２がカバー２１０８に連結されるように図示されているが、追加でまたはあるいは、摩擦材料体２１１２は、重量体２１０６に連結され得る。
【０１０２】
図５２は、(図５０に示す）重量体組立体２１００のカバー２１０８を示す頂面図である。図５３は、カバー２１０８を示す側面図である。図５２及び図５３を共に参照すると、特定の構成部材は、上述されており、そのため、必ずしもさらに説明しない。カバー２１０８は、複数の突出刻目部２１１８を有しており、これら突出刻目部は、本体２１０４内にある対応するキャビティ２１２０と係合する。カバー２１０８を複数の場所で係合することによって、カバー２１０８は、重量体を固定すると、本体２１０４の外面との位置合わせから外れるように曲がることが制限または防止される。図５３に示すように、側部キャビティは、テーパ状とされ得、それにより、カバー１２０６が所定角度でスライドすることを許容する。
【０１０３】
図５４は、ロック構成にある別の重量体組立体２２０２を有する別のゴルフクラブヘッド２２００を示す底面図である。ゴルフクラブヘッド２２００は、ソール２２０６を有する本体２２０４を有し、重量体組立体２２０２は、ソール２２０６上に配設されている。本体２２０４は、同様に、打面及びクラウン（両者共図示略）を有し、それにより、本体２２０４は、外面２２０８を有する。一態様において、ゴルフクラブヘッド２２００は、フェアウェイメタル型のゴルフクラブヘッドであるが、本体２２０４は、必要に応じてまたは望むなら、アイアン型のクラブヘッド、ハイブリッド型のクラブヘッド、または、ドライバーもしくはメタルウッド型のクラブヘッド（例えば、図１から図５３に図示した例のうちの１以上）など、任意の型のクラブヘッドを形成し得る。また、クラブヘッド２２００の構成部材（例えば、ソール、打面、クラウン、ホーゼルなど）は、図１から図５３において上述した構成部材の機能と同様である。さらに、必要に応じてまたは望むなら、後述する重量体組立体２２０２の特徴は、追加でまたはあるいは、本明細書で説明した任意の方のクラブヘッドで利用され得る。
【０１０４】
この例において、凹状チャネル２２１０は、クラブヘッド２２００の本体２２０４のソール２２０６内に画成されている。凹状チャネル２２１０は、トウ−ヒール方向で延在しており、それにより、クラブヘッド２２００のＣＧ及びＭＯＩを（フェイド−ドローバイアスに関して）調整し得る。重量体組立体２２０２は、チャネル２２１０内に少なくとも部分的に配設されたスライド可能な重量体２２１２と、チャネル２２１０を少なくとも部分的に覆うように延在するカバー２２１４と、カバー２２１４を本体２２０４に連結するように構成された固定具２２１６と、を有する。固定具２２１６は、カバー２２１４を介して間接的に重量体２２１２を凹状チャネル２２１０内に保持し、それにより、重量体２２１２は、クラブヘッド２２００のＣＧ及びＭＯＩを調整するために使用され得る。
【０１０５】
図５４に示すように、重量体組立体２２０２は、ロック構成にあり、カバー２２１４は、凹状チャネル２２１０内に少なくとも部分的に配設され、重量体２２１２は、チャネル２２１０内に固定され、それにより、移動を制限する。カバー２２１４及び重量体組立体２２０２がロック構成にあると、重量体２２１２の少なくとも一部は、本体２２０４とカバー２２１４との間で視認可能である。この構成により、ユーザは、凹状チャネル２２１０内に重量体２２１２が存在することをより容易に決定できるようになる。重量体組立体２２０２は、同様に、本明細書で説明したように、ロック解除構成へ移動され得る。例えば、固定具２２１６の回転を介して、カバー２２１４は、凹状チャネル２２１０から少なくとも部分的に抜け出し得、重量体２２１２を再び位置付けることをできるようにする。
【０１０６】
この例において、重量体２２１２は、カバー２２１４と重なりかつカバーと係合し、それにより、重量体及びカバー双方は、ロック構成とロック解除構成との間で共に移動する。さらに、この係合は、凹状チャネル２２１０に対して昇降すると、重量体２２１２がカバー２２１４に対して捻れたり傾いたりすることを低減するまたは防止する。このように、重量体２２１２は、重量調整中に凹状チャネル２２０１内で曲がることを防止し、それにより、重量体組立体２２０２の性能を増加させる。
【０１０７】
図５５は、図５４の線５４−５４に沿って取った重量体組立体２２０２を示す斜視横断面図である。図５６は、図５４の線５４−５４に沿って取ったカバー２２１４を示す横断面図である。図５５及び図５６を共に参照すると、カバー２２１４は、重量体２２１２とスライド可能に係合するように構成された棚部２２１８を有する。一例において、棚部２２１８は、クラブヘッドの打面を向きかつ固定具２２１６から離間する方向で開口する。また、棚部２２１８は、トウ−ヒール方向でカバー２２１４内を延在する。しかしながら、当然ながら、棚部２２１８は、必要に応じてまたは望むように、任意の他の方向付け及び／または方向でカバー２２１４内に画成され得、本明細書で説明したような調整可能な重量体の機能性を実現すること、である。カバー２２１４がロック解除位置にあると、重量体２２１２は、クラブヘッドに対して上がり、それにより、重量体２２１２は、棚部２２１８及び（図５４に示す）凹状チャネル２２１０内を選択的にスライド可能である。反対に、カバー２２１４がロック位置にあると、重量体２２１２は、凹状チャネル２２１０及び棚部２２１８内に少なくとも部分的に配設されており、これら凹状チャネル及び棚部内に固定され、それにより、重量体２２１２の移動を制限するまたは防止する。一例において、棚部２２１８は、重量体２２１２とのカバー２２１４の重なりを提供し、それにより、重量体２２１２が凹状チャネル内で曲がることを低減する。
【０１０８】
棚部２２１８は、外壁部２２２０と反対側にある内壁部２２２２とを有する。本明細書で説明するように、棚部２２１８の外壁部及び内壁部は、（図５４に示す）クラブヘッドの本体２２０４の内部キャビティを参照している。このように、外壁部２２２０は、カバー２２１４の外側面２２２４に近接して配設されている。重量体２２１２は、棚部２２１８の外壁部２２２０と内壁部２２２２との間に、かつ、棚部２２１８の内壁部２２２６に当接して、少なくとも部分的にスライド可能に受けられるように構成されている。棚部２２１８の３つの壁部は、重量体２２１２をカバー２２１４内に保持し、それにより、重量体２２１２の位置は、ロック構成とロック解除構成との間で移動しているときにカバー２２１４に対して傾くことを制限または防止されている。この構成により、重量体２２１２は、重量体組立体２２０２内で曲がることが制限され、そのため、重量体組立体２２０２の性能を増加させる。
【０１０９】
一例において、カバー２２１４内における重量体２２１２のこの位置は、棚部２２１８の外壁部２２２０に対する重量体２２１２の角度方向位置として規定された傾斜角２２２８によって測定され得る。一態様において、傾斜角２２２８は、ロック解除構成及びロック構成双方においてほぼ同じである。別の態様において、傾斜角２２２８は、ロック解除構成及びロック構成双方において棚部２２１８の外壁部２２２０に対してほぼ平行である。重量体２２１２は、外面２２３０を有しており、この外面は、棚部２２１８内に受けられると、カバー２２１４の外壁部２２２０、内壁部２２２２及び内壁部２２２６に直接当接して位置付けられる。このように、重量体２２１２の外面２２３０は、ロック解除構成及びロック構成双方において、棚部２２１８の壁部に直接当接する外面の位置を維持する。
【０１１０】
重量体２２１２は、棚部２２１８から少なくとも部分的に外へ延在する位置表示器２２３２を有する。位置表示器２２３２は、重量体組立体２２０２がロック解除構成にあると、重量体２２１２を選択的にスライドさせるために使用され得る。ロック構成にあると、位置表示器２２３２は、カバー２２１４とクラブヘッドの本体との間で視認可能であり、それにより、ユーザは、クラブヘッドの重量特性を容易に決定し得る。また、位置表示器２２３２は、凹状チャネルの窪部（例えば、図４５に示す窪部１８５６など）内に配設され得る。重量体２２１２は、同様に、凹状チャネルの隆起部（例えば、図４５に示す隆起部１８５４など）を受けるように寸法付けられかつ形付けられた中空部２２３４を有する。この例において、中空部２２３４は、棚部２２１８の内壁部２２２２に隣接して配設されている。
【０１１１】
カバー２２１４は、同様に、１以上の突出部２２３６を有し得、これら突出部は、凹状チャネルの対応するチャンバ（図示略）内に受けられるように寸法付けられかつ形付けられている。突出部２２３６は、ゴルフクラブヘッド本体を有するカバー２２１４の係合を増加させるように構成されており、それにより、重量体２２１２は、カバー２２１４によって凹状チャネル内に固定されると、移動やガタツキを制限する。突出部２２３６は、同様に、カバー２２１４を（図５４に示す）本体２２０４から抜き出すことを規制するために使用され得、カバー２２１４を本体から完全に螺合解除して抜き出す前に軟質停止部を形成する。いくつかの例において、突出部２２３６は、図３６から図４１を参照して上述した突出部と同様であり得、突出部には、１以上の可撓性腕部、テーパ状鼻部、停止部及び少なくとも１つのリブが挙げられる。
【０１１２】
この例において、内壁部２２２６に対する外壁部２２２０の幅２２３８は、内壁部２２２２の幅２２４０より大きい。この構成により、重量体２２１２は、重量体組立体２２０２内で傾いたり曲がったりすることなく棚部２２１８内に保持できるようになる。また、重量体２２１２は、中空部２２３４及び位置表示器２２３２を有し、これら中空部及び位置表示器は、棚部２２１８から外へ延在し得、本明細書で説明したように、重量体組立体２２０２の機能を可能とする。例えば、内壁部２２２６は、重量体２２１２の中空部２２３４が凹状チャネル内で対応する構造体と係合できるようにする。一態様において、外壁部の幅は、内壁部の幅よりも約２倍以上約４倍である。別の態様において、外壁部２２２０の幅２２３８：内壁部２２２２の幅２２４０の比率は、２：１またはこれより大きい。さらに別の態様において、外壁部２２２０の幅２２３８：内壁部２２２２の幅２２４０の比率は、３：１またはこれより大きい。依然として別の態様において、外壁部２２２０の幅２２３８：内壁部２２２２の幅２２４０の比率は、約２：１と約４：１との間である。当然ながら、他の比率の値を本明細書において同様に想定し、明確には列挙しないことがある。
【０１１３】
図５７は、重量体２２１２を示す斜視図である。図５８は、重量体２２１２の概略頂面図である。図５７及び図５８を共に参照すると、図５４と同様に、重量体２２１２の少なくとも一部は、重量体組立体２２０２がロック構成にあると、カバー２２１４の外側面と本体２２０４の外面２２０８との間で露出されかつ視認可能である。すなわち、間隙は、カバー２２１４の一部と本体２２０４との間に少なくとも部分的に形成されており、重量体は、この間隙を少なくとも部分的に埋める。例えば、位置表示器２２３２は、ゴルフクラブヘッド２２００に露出されかつ視認可能であり得る。この構成により、重量体２２１２の位置を容易に決定できるようになる。しかしながら、重量体２２１２は、完全には露出されかつ視認可能ではない。重量体２２１２のうちゴルフクラブヘッド２２００に露出している部分を低減し、クラブヘッド２２００の外面１８２０とカバー２２１４との間の平滑性を増加させる。このように、ゴルフクラブヘッド２２００は、増加した性能（例えば、地面から直接ゴルフボールを打つこと、空力性能など）を有しつつ、本明細書で説明するように、重量体組立体２２０２を介して重量体調整可能機能を有する。
【０１１４】
この例において、重量体２２１２の約０％以上約３０％以下は、本体２２０４の外面２２０８とロック構成にあるカバー２２１４の外側面との間で露出されて視認可能である。一態様において、重量体２２１２の約１０％以上約２０％以下は、本体２２０４の外面２２０８とロック構成にあるカバー２２１４の外側面との間で露出されて視認可能である。さらに別の態様において、重量体２２１２の約１６％は、露出されている。当然ながら、他のパーセント値を本明細書において同様に想定し、明確には上記で列挙されないことがある。図面に示していないが、重量体２２１２は、本発明の範囲及び内容から逸脱することなく完全に視認不能であり得る。
【０１１５】
図５７を参照すると、重量体２２１２のうち視認可能であり露出されたパーセント（例えば、部分２２４２）は、重量体２２１２の外面領域２２３０に基づき得る。本明細書で使用するように、重量体２２１２の外面２２３０は、図５７に示すように、重量体形状の１以上の側部及び外周縁部全体を含む。例えば、一態様において、重量体２２１２の外面２２３０のうち約０％以上約３０％は、本体２２０４の外面２２０８とロック構成にあるカバー２２１４の外側面との間で露出している。別の態様において、重量体２２１２の外面２２３０のうち約１０％以上約２０％以下は、本体２２０４の外面２２０８とロック構成にあるカバー２２１４の外表面との間で露出している。さらに別の態様において、重量体２２１２の約１６％は、露出されている。当然ながら、他のパーセント値を本明細書において同様に想定し、明確には上記で列挙されないことがある。
【０１１６】
図５８を参照すると、重量体２２１２のうち視認可能であり露出されたパーセント（例えば、部分２２４４）は、重量体２２１２の平面領域２２４６に基づき得る。本明細書で使用するように、平面領域２２４６は、重量体形状のうち１つの突出側部のみにある面領域（例えば、頂部平面領域）である。頂部平面領域を図５８に示す一方、他の重量体側部（例えば、右側平面領域、左側平面領域など）を本明細書において同様に想定する。例えば、一態様において、重量体２２１２の平面領域２２４６のうち約０％以上約３０％以下は、本体２２０４の外面２２０８とロック構成にあるカバー２２１４の外側面との間で露出する。別の態様において、重量体２２１２の平面領域２２４６のうち約１０％以上約２０％以下は、本体２２０４の外面２２０８とロック構成にあるカバー２２１４の外側面との間で露出する。さらに別の態様において、重量体２２１２の平面領域２２４６のうち約１６％は、露出する。当然ながら、他のパーセント値を本明細書において同様に想定し、明確には上記で列挙されないことがある。
【０１１７】
具体的な実施形態及び態様を本明細書で説明しかつ具体的な例を提供したが、この技術の範囲は、これら具体的な実施形態及び例に限定されない。例えば、様々な本例は、ドライバー、フェアウェイメタル及びアイアンとして使用するために特に描写されているが、本技術は、メタルウッド、フェアウェイメタルもしくはウッド、アイアン、または、ハイブリッド型のゴルフクラブに適用され得る。さらに、上記例それぞれは、別の例と組み合わされ得る、かつ／または、いくつかの例のうち１以上の特徴を他の例と組み合わせ得る。当業者は、他の実施形態または本技術の範囲及び製品内にある改良を実現する。したがって、具体的な構造、作用または媒体を例示的な実施形態のみとして開示する。また、以下の特許請求の範囲で使用されるような用語「およそ」、「ほぼ」または「約」の限定が当業者に対して上記明細書から不明確である場合には、これら用語は、説明した値の１０％内にあることを意味する。本技術の範囲は、以下の特許請求の範囲及び均等物によって規定される。
【符号の説明】
【０１１８】
１００  ゴルフクラブヘッド、１０２  ソール、１０４  重量体組立体、１０６  本体、１０８  打面、１１０  下縁部、１１２  上縁部、１１４  トウ、１１６  ヒール、１１８  クラウン、１２０  外面、１２２  内部キャビティ、１２４  ホーゼル、１２６  スカート、１２８  重量体、１３０  カバー、１３２  固定具、１３４  凹状チャネル、１３６  ロック構成、１３８  ナット、１４０  外側面、１４２  固定具軸、１４４  角度、１４６  平面、１４８  突出部、１５０  チャンバ、１５２  傾斜面、１５４  傾斜面、１５６  座部、１５８  刻目部、１６０  傾斜面、１６２  傾斜面、１６４  カム、１６６  切欠部、１６８  長脚部、１７０  短脚部、１７２  側壁部、１７４  側壁部、１７６  底軌道部、１７８  フランジ、１８０  溝部、１８２  ロック解除構成、１８４  トウ−ヒール方向、１８６  ロックワッシャ、１８８  カム面、１９０  カム面、２００  重量体組立体、２０２  凹状チャネル、２０４  重量体、２０６  カバー、２０８  固定具、２１０  カバー側壁部、２１２  側壁部、２１２  アンダーカット付側壁部、２１４  底軌道部、２１６  部分壁部、２１８  角度付面、２２０  圧迫力、３００  重量体組立体、３０２  凹状チャネル、３０４  重量体、３０６  カバー、３０８  固定具、４００  重量体組立体、４０２  凹状チャネル、４０４  重量体、４０６  カバー、４０８  固定具、４１０  底軌道部、４１２  ナット、４１４  支持リブ、４１６  弾性材料体、４１８  側壁部、４２０  側壁部、４２２  フィン、４２４  底面、４２６  スロット、４２８  溝部、４３０  フランジ、４３２  符号、４３４  回転移動、４３６  第１脚部、４３８  第２脚部、４４０  陥凹部、４４２  突出部、４４４  筒状チャンバ、４４６  突出軸、４４８  固定具軸、４５０  機能部、５００  重量体組立体、５０２  凹状チャネル、５０４  重量体、５０６  カバー、５０８  スロット、５１０  フィン、５１２  底面、５１４  軌道部、５１６  中空部、６００  重量体組立体、６０２  湾曲チャネル，凹状チャネル、６０４  重量体、６０６  カバー、６０８  固定具、６１０  底面、６１２  溝部、６１４  弾性材料体，タブ、６１６  フランジ、６１８  頂脚部、６２０  側脚部、６２２  固定具軸、６２４  底軌道部、６２６  溝部、６２８  突出部、６３０  筒状チャンバ、６３２  突出軸、６３４  支持リブ、７００  重量体組立体、７０２  凹状チャネル、７０４  重量体、７０６  カバー、７０８  固定具、７１０  突出部、７１２  底面、７１４  軌道部、７１６  中空部、７１８  角度付面、７２０  圧迫力、７２２  アンダーカット付側壁部、８００  重量体組立体、８０２  凹状チャネル、８０４  カバー、８０６  固定具、８０８  底軌道部、８１０  側壁部、８１２  側壁部、８１４  弾性材料体、８１６  端部、８１８  アンダーカット領域、８２０  位置ズレ、８２２  突出部、９００  重量体組立体、９０２  凹状チャネル、９０４  重量体、９０６  重量体、９０８  カバー、９１０  カバー、９１２  固定具、９１４  ワッシャ、９１６  溝部、９１８  底軌道部、１０００  重量体組立体、１００２  凹状チャネル、１００４  重量体、１００６  カバー、１００８  固定具、１０１０  カバー側壁部、１０１２  アンダーカット付側壁部、１０���４  底軌道部、１０１６  部分壁部、１０１８  角度付面、１０２０  溝部、１１００  重量体組立体、１１０２  凹状チャネル、１１０４  重量体、１１０６  カバー組立体、１１０８  固定具、１１１０  固定具部材、１１１２  長手方向部材、１１１４  横方向部材、１１１６  圧迫力、１１１８  角度付面、１１２０  側壁部、１１２２  切欠部、１１２４  矢印、１１２６  端部、１１２８  チャンバ、１２００  重量体組立体、１２０２  凹状チャネル、１２０４  重量体、１２０６  カバー、１２０８  固定具、１２１０  幅、１２１２  突出部、１２１４  チャンバ、１２１６  固定具軸、１２１８  補強材、１２２０  延長縁部、１２２２  ブラケット、１３００  重量体組立体、１３０２  カバー、１３０４  重量体、１３０６  固定具、１３０８  延長縁部、１４００  重量体組立体、１４０２  カバー、１４０４  重量体、１４０６  縁部、１５００  重量体組立体、１５０２  カバー、１５０４  重量体、１６００  重量体組立体、１６０２  カバー、１６０４  重量体、１６０６  縁部、１７００  重量体組立体、１７０２  凹状チャネル、１７０４  重量体、１７０６  カバー、１７０８  ネジ山付固定具、１７１０  トウ端部、１７１２  ヒール端部、１７１４  ロックワッシャ、１７１６  ナット、１７１８  固定具軸、１７２０  突出部、１７２２  チャンバ、１７２４  突出軸、１７２６  部分壁部、１７２８  凹所、１７３０  位置決機構、１７３２  位置決ラグ、１７３４  底軌道壁部、１７３６  側壁部、１７３８  角部、１７４０  尾部、１７４２  内面、１７４４  開口部、１７４６  可撓性腕部、１７４８  遠位端部、１７５０  停止部、１７５２  近位端部、１７５４  リブ、１７５６  端壁部、１８００  ゴルフクラブヘッド、１８０２  ソール、１８０４  重量体組立体、１８０６  本体、１８０８  打面、１８１０  下縁部、１８１２  上縁部、１８１４  トウ、１８１６  ヒール、１８１８  クラウン、１８２０  外面、１８２４  ホーゼル、１８２６  凹状チャネル、１８２８  重量体、１８３０  カバー、１８３２  固定具、１８３４  外側面、１８３６  ナット、１８３８  ロックワッシャ、１８４０  底軌道部、１８４２  第１側壁部、１８４４  第２側壁部、１８４６  長脚部、１８４８  短脚部、１８５０  フランジ、１８５２  溝部、１８５４  隆起部、１８５６  窪部、１８５８  中空部、１８６０  位置表示器、１８６２  突出部、１８６４  チャンバ、１９００  重量体組立体、１９０２  カバー、１９０４  重量体、１９０６  凹状チャネル、２０００  ゴルフクラブヘッド、２００２  重量体組立体、２００４  打面、２００６  トップライン部分、２００８  トウ部分、２０１０  ヒール部分、２０１２  ホーゼル、２０１４  ソール、２０１６  バック部分、２０１８  重量体、２０２０  カバー、２０２２  固定具、２０２４  凹状チャネル、２１００  重量体組立体、２１０２  凹状チャネル、２１０４  本体、２１０６  重量体、２１０８  カバー、２１１０  内面、２１１２  摩擦材料体，摩擦材料ライナー、２１１４  溝部、２１１６  クランプ負荷、２１１８  突出刻目部、２１２０  キャビティ、２２００  ゴルフクラブヘッド、２２０１  凹状チャネル、２２０２  重量体組立体、２２０４  本体、２２０６  ソール、２���０８  外面、２２１０  凹状チャネル、２２１２  重量体、２２１４  カバー、２２１６  固定具、２２１８  棚部、２２２０  外壁部、２２２２  内壁部、２２２４  外側面、２２２６  内壁部、２２２８  傾斜角、２２３０  外面領域，外面、２２３２  位置表示器、２２３４  中空部、２２３６  突出部、２２３８  幅、２２４０  幅、２２４２  部分、２２４４  部分、２２４６  平面領域、ＣＧ  重心、Ｄ１  距離、Ｈ２  構成、Ｈ３  構成、Ｍ  線形移動、ＭＯＩ  慣性モーメント
【図１】
2020175196.tif 000003
【図２】
2020175196.tif 000004
【図３】
2020175196.tif 000005
【図４】
2020175196.tif 000006
【図５】
2020175196.tif 000007
【図６】
2020175196.tif 000008
【図７】
2020175196.tif 000009
【図８】
2020175196.tif 000010
【図９】
2020175196.tif 000011
【図１０】
2020175196.tif 000012
【図１１】
2020175196.tif 000013
【図１２】
2020175196.tif 000014
【図１３】
2020175196.tif 000015
【図１４】
2020175196.tif 000016
【図１５】
2020175196.tif 000017
【図１６】
2020175196.tif 000018
【図１７】
2020175196.tif 000019
【図１８】
2020175196.tif 000020
【図１９】
2020175196.tif 000021
【図２０】
2020175196.tif 000022
【図２１】
2020175196.tif 000023
【図２２】
2020175196.tif 000024
【図２３】
2020175196.tif 000025
【図２４】
2020175196.tif 000026
【図２５】
2020175196.tif 000027
【図２６】
2020175196.tif 000028
【図２７】
2020175196.tif 000029
【図２８】
2020175196.tif 000030
【図２９】
2020175196.tif 000031
【図３０】
2020175196.tif 000032
【図３１】
2020175196.tif 000033
【図３２】
2020175196.tif 000034
【図３３】
2020175196.tif 000035
【図３４】
2020175196.tif 000036
【図３５】
2020175196.tif 000037
【図３６】
2020175196.tif 000038
【図３７】
2020175196.tif 000039
【図３８】
2020175196.tif 000040
【図３９】
2020175196.tif 000041
【図４０】
2020175196.tif 000042
【図４１】
2020175196.tif 000043
【図４２】
2020175196.tif 000044
【図４３】
2020175196.tif 000045
【図４４】
2020175196.tif 000046
【図４５】
2020175196.tif 000047
【図４６】
2020175196.tif 000048
【図４７】
2020175196.tif 000049
【図４８】
2020175196.tif 000050
【図４９】
2020175196.tif 000051
【図５０】
2020175196.tif 000052
【図５１】
2020175196.tif 000053
【図５２】
2020175196.tif 000054
【図５３】
2020175196.tif 000055
【図５４】
2020175196.tif 000056
【図５５】
2020175196.tif 000057
【図５６】
2020175196.tif 000058
【図５７】
2020175196.tif 000059
【図５８】
2020175196.tif 000060
【外国語明細書】
2020175196000001.pdf